(57)【要約】【課題】冷凍装置の停止中における消費エネルギを削減する。【解決手段】冷凍装置により構成された空調機（10）には、コントローラ（90）が設けられる。コントローラ（90）の加熱制御部（91）は、空調機（10）の停止中に圧縮機（30）の電動機（62）へ欠相状態で通電することによって圧縮機（30）を加熱する動作を行う。また、加熱制御部（91）は、空調機（10）の停止中に外気温センサ（72）の検出値を監視し、その値が低下し続けている間は電動機（62）への通電を停止状態に保持する。【選択図】図１
2008064447.tif 000002
【特許請求の範囲】
【請求項１】
圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置であって、
上記熱源側熱交換器（34）が冷媒を室外空気と熱交換させるように構成される一方、
上記冷凍装置の停止中に該圧縮機（30）を加熱する加熱手段（80）と、
室外の気温を検出する外気温度検出手段（72）と、
上記冷凍装置の停止中であっても上記外気温度検出手段（72）の検出値が低下している間は上記加熱手段（80）による上記圧縮機（30）の加熱を停止状態に保持する制御手段（91）とを備えている
ことを特徴とする冷凍装置。
【請求項２】
圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置であって、
上記熱源側熱交換器（34）が冷媒を室外空気と熱交換させるように構成される一方、
上記冷凍装置の停止中に該圧縮機（30）を加熱する加熱手段（80）と、
室外の気温を検出する外気温度検出手段（72）と、
上記圧縮機（30）の温度を検出する圧縮機温度検出手段（77）と、
上記冷凍装置の停止中であっても上記圧縮機温度検出手段（77）の検出値が上記外気温度検出手段（72）の検出値より高い間は上記加熱手段（80）による上記圧縮機（30）の加熱を停止状態に保持する制御手段（91）とを備えている
ことを特徴とする冷凍装置。
【請求項３】
請求項１又は２において、
上記利用側熱交換器（37）が冷媒を室内空気と熱交換させるように構成され、
室内の気温を検出する内気温度検出手段（75）が設けられており、
上記制御手段（91）は、上記内気温度検出手段（75）の検出値が上記外気温度検出手段（72）の検出値より低い間は上記加熱手段（80）による上記圧縮機（30）の加熱を停止状態に保持するように構成されている
ことを特徴とする冷凍装置。
【請求項４】
圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置であって、
上記熱源側熱交換器（34）が冷媒を室外空気と熱交換させるように構成される一方、
上記冷凍装置の停止中に該圧縮機（30）を加熱する加熱手段（80）と、
上記熱源側熱交換器（34）の温度を検出する熱交換器温度検出手段（73）と、
上記冷凍装置の停止中であっても上記熱交換器温度検出手段（73）の検出値が低下している間は上記加熱手段（80）による上記圧縮機（30）の加熱を停止状態に保持する制御手段（91）とを備えている
ことを特徴とする冷凍装置。
【請求項５】
圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置であって、
上記熱源側熱交換器（34）が冷媒を室外空気と熱交換させるように構成される一方、
上記冷凍装置の停止中に該圧縮機（30）を加熱する加熱手段（80）と、
上記熱源側熱交換器（34）の温度を検出する熱交換器温度検出手段（73）と、
上記圧縮機（30）の温度を検出する圧縮機温度検出手段（77）と、
上記冷凍装置の停止中であっても上記圧縮機温度検出手段（77）の検出値が上記熱交換器温度検出手段（73）の検出値より高い間は上記加熱手段（80）による上記圧縮機（30）の加熱を停止状態に保持する制御手段（91）とを備えている
ことを特徴とする冷凍装置。
【請求項６】
請求項４又は５において、
上記利用側熱交換器（37）が冷媒を室内空気と熱交換させるように構成され、
室内の気温を検出する内気温度検出手段（75）が設けられており、
上記制御手段（91）は、上記内気温度検出手段（75）の検出値が上記熱交換器温度検出手段（73）の検出値より低い間は上記加熱手段（80）による上記圧縮機（30）の加熱を停止状態に保持するように構成されている
ことを特徴とする冷凍装置。
【発明の詳細な説明】
【技術分野】
【０００１】
本発明は、冷凍装置の停止中に圧縮機を加熱する手段の制御に関するものである。
【背景技術】
【０００２】
冷凍装置では、その停止中に圧縮機へ冷媒が溜まり込む場合がある。例えば、圧縮機が屋外に設置される室外ユニットに収容される場合、外気温の低い冬季には圧縮機の温度も低くなるため、冷媒回路内の冷媒が圧縮機内で凝縮して溜まり込むことがある。圧縮機内に冷媒が溜まり込むと、圧縮機内に貯留された潤滑油に冷媒が溶け込んで潤滑油の粘度が低下する。そして、この状態のままで圧縮機を起動すると、粘度の低い潤滑油が圧縮機の摺動部へ供給されることになり、潤滑不良による焼き付きに至る危険がある。また、圧縮機の起動後に潤滑油に溶け込んでいた冷媒が一気にガス化し、潤滑油が泡立った状態となって充分な給油ができなくなるおそれもある。
【０００３】
その問題に対しては、冷凍装置の停止中に圧縮機を加熱することで圧縮機への冷媒の溜まり込みを防ぐという対策が講じられている。例えば、特許文献１には、圧縮機に電気ヒータを取り付け、電気ヒータへ通電して圧縮機を加熱することが開示されている。また、特許文献２には、圧縮機に設置された電動機のコイルへ高周波数の低電圧を印加し、電動機を回転させずにコイルでジュール熱を発生させて圧縮機を加熱することが開示されている。
【０００４】
このように冷凍装置の停止中に圧縮機を加熱する場合は、冷凍装置の停止中でも電力等のエネルギが消費されることになる。その問題の対策として、特許文献１には、室外の気温と室内の気温に基づいて電気ヒータへ通電するか否かを判断し、圧縮機の加熱が不要と判断されたときには、電気ヒータへの通電を停止することが開示されている。具体的に、この特許文献１では、室内と室外の気温差が所定値以上で且つ外気温も所定値以上の場合は、圧縮機に溜まり込む冷媒の量はそれ程多くないと判断して電気ヒータへの通電を停止している。
【特許文献１】特開２００２−１０６９８１号公報
【特許文献２】特開２００２−０３１３８６号公報
【発明の開示】
【発明が解決しようとする課題】
【０００５】
ここで、冷凍装置の冷媒回路は、圧縮機や熱源側熱交換器が設けられた屋外側のユニットと、利用側熱交換器が設けられた屋内側のユニットとを連絡配管で接続することによって形成される場合が多い。そして、外気温が室内の気温よりも低い場合は、屋外側のユニットに冷媒が溜まり込むことになる。
【０００６】
ところが、屋外側のユニットに冷媒が溜まり込む状態であっても、必ずしも圧縮機に冷媒が溜まり込むとは限らない。つまり、屋外側のユニットには圧縮機の他に熱源側熱交換器も設けられているため、圧縮機ではなく熱源側熱交換器に冷媒が溜まり込む場合もあり、そのような場合に圧縮機を加熱する必要は無い。
【０００７】
しかしながら、特許文献１に開示されているように室内外の気温を考慮しても、屋内側と屋外側のどちらのユニットに冷媒が溜まり込むかは判断できても、圧縮機に冷媒が溜まり込み得る状態かどうかは判断できない。このため、圧縮機に溜まり込む冷媒の量がさほど多くない状態でも圧縮機の加熱を行ってしまい、無駄なエネルギを消費するおそれがあった。
【０００８】
本発明は、かかる点に鑑みてなされたものであり、その目的は、圧縮機に多量の冷媒が溜まり込み得る状態か否かを適切に判断し、冷凍装置の停止中における消費エネルギを削減することにある。
【課題を解決するための手段】
【０００９】
第１の発明は、圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置を対象とする。そして、上記熱源側熱交換器（34）が冷媒を室外空気と熱交換させるように構成される一方、上記冷凍装置の停止中に該圧縮機（30）を加熱する加熱手段（80）と、室外の気温を検出する外気温度検出手段（72）と、上記冷凍装置の停止中であっても上記外気温度検出手段（72）の検出値が低下している間は上記加熱手段（80）による上記圧縮機（30）の加熱を停止状態に保持する制御手段（91）とを備えるものである。
【００１０】
第１の発明では、冷凍装置（10）の停止中に加熱手段（80）が圧縮機（30）を加熱することによって、冷媒回路（20）内の冷媒が圧縮機（30）へ流れ込んで凝縮するのを防いでいる。また、この発明において、外気温度検出手段（72）の検出値が低下している間は、冷凍装置（10）の停止中であっても、制御手段（91）が加熱手段（80）による圧縮機（30）の加熱を停止状態に保持する。
【００１１】
ここで、冷凍装置（10）が停止している状態では、圧縮機（30）や熱源側熱交換器（34）の温度は、外気温の変化に伴って変化する。また、圧縮機（30）の熱容量は、室外空気を冷媒と熱交換させる熱源側熱交換器（34）の熱容量に比べて大きいのが通常である。このため、外気温の変化に対する温度変化の時間遅れは、圧縮機（30）の方が熱源側熱交換器（34）に比べて長くなる。従って、例えば昼過ぎから夜間にかけて外気温が次第に低下してゆく過程では、熱源側熱交換器（34）の温度は外気温とほぼ同じ値になるが、圧縮機（30）の温度は外気温よりも幾分高い値となる。つまり、外気温が次第に低下してゆく間は、圧縮機（30）の温度が熱源側熱交換器（34）の温度よりも高くなる。
【００１２】
一方、冷凍装置（10）の停止中において、冷媒回路（20）に充填された冷媒は、冷媒回路（20）のうち温度が最も低い部分で凝縮し、その部分へ溜まり込んでゆく。このため、外気温が次第に低下してゆく間は、圧縮機（30）に比べて温度の低い熱源側熱交換器（34）へ冷媒が溜まり込んでゆくことになり、それ程多量の冷媒が圧縮機（30）に溜まり込むことはないと推測できる。
【００１３】
そこで、上記第１の発明の制御手段（91）は、外気温度検出手段（72）の検出値が低下している間は圧縮機（30）に溜まり込む冷媒の量がそれ程多くならないと判断し、加熱手段（80）による圧縮機（30）の加熱を停止状態に保つ。
【００１４】
第２の発明は、圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置を対象とする。そして、上記熱源側熱交換器（34）が冷媒を室外空気と熱交換させるように構成される一方、上記冷凍装置の停止中に該圧縮機（30）を加熱する加熱手段（80）と、室外の気温を検出する外気温度検出手段（72）と、上記圧縮機（30）の温度を検出する圧縮機温度検出手段（77）と、上記冷凍装置の停止中であっても上記圧縮機温度検出手段（77）の検出値が上記外気温度検出手段（72）の検出値より高い間は上記加熱手段（80）による上記圧縮機（30）の加熱を停止状態に保持する制御手段（91）とを備えるものである。
【００１５】
第２の発明では、冷凍装置（10）の停止中に加熱手段（80）が圧縮機（30）を加熱することによって、冷媒回路（20）内の冷媒が圧縮機（30）へ流れ込んで凝縮するのを防いでいる。また、この発明において、圧縮機温度検出手段（77）の検出値が外気温度検出手段（72）の検出値より高い間は、冷凍装置（10）の停止中であっても、制御手段（91）が加熱手段（80）による圧縮機（30）の加熱を停止状態に保持する。
【００１６】
ここで、冷凍装置（10）が停止している状態では、圧縮機（30）や熱源側熱交換器（34）の温度は、外気温の変化に伴って変化する。また、熱源側熱交換器（34）は、冷媒を室外空気と熱交換させる熱交換器であるため、室外空気と接触する表面の面積が大きい。このため、冷凍装置（10）の停止中における熱源側熱交換器（34）の温度は、室外空気の温度（即ち、外気温）とほぼ同じであると推測できる。
【００１７】
一方、冷凍装置（10）の停止中において、冷媒回路（20）に充填された冷媒は、冷媒回路（20）のうち温度が最も低い部分で凝縮し、その部分へ溜まり込んでゆく。このため、圧縮機（30）の温度よりも外気温の方が低い間は、圧縮機（30）に比べて温度の低い熱源側熱交換器（34）へ冷媒が溜まり込んでゆくことになり、それ程多量の冷媒が圧縮機（30）に溜まり込むことはないと推測できる。
【００１８】
そこで、上記第２の発明の制御手段（91）は、圧縮機温度検出手段（77）の検出値が外気温度検出手段（72）の検出値より高くなっている間は圧縮機（30）に溜まり込む冷媒の量がそれ程多くならないと判断し、加熱手段（80）による圧縮機（30）の加熱を停止状態に保つ。
【００１９】
第３の発明は、上記第１又は第２の発明において、上記利用側熱交換器（37）が冷媒を室内空気と熱交換させるように構成され、室内の気温を検出する内気温度検出手段（75）が設けられており、上記制御手段（91）は、上記内気温度検出手段（75）の検出値が上記外気温度検出手段（72）の検出値より低い間は上記加熱手段（80）による上記圧縮機（30）の加熱を停止状態に保持するように構成されるものである。
【００２０】
第３の発明において、内気温度検出手段（75）の検出値が外気温度検出手段（72）の検出値より高い間は、冷凍装置（10）の停止中であっても、制御手段（91）が加熱手段（80）による圧縮機（30）の加熱を停止状態に保持する。
【００２１】
上述したように、冷凍装置（10）の停止中において、冷媒回路（20）に充填された冷媒は、冷媒回路（20）のうち温度が最も低い部分で凝縮し、その部分へ溜まり込んでゆく。このため、冷凍装置（10）が停止中であって室内の気温が外気温に比べて低くなっている状態において、冷媒回路（20）に充填されている冷媒は、屋外に設置された熱源側回路（21）よりも屋内に設置された利用側回路（22）の方へ溜まり込んでゆく。つまり、この状態において、圧縮機（30）が設けられた熱源側回路（21）へ溜まり込む冷媒はさほど多くならないと推測できる。
【００２２】
そこで、上記第３の発明の制御手段（91）は、内気温度検出手段（75）の検出値が外気温度検出手段（72）の検出値より低い間は圧縮機（30）に溜まり込む冷媒の量がそれ程多くならないと判断し、加熱手段（80）による圧縮機（30）の加熱を停止状態に保つ。
【００２３】
第４の発明は、圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置を対象とする。そして、上記熱源側熱交換器（34）が冷媒を室外空気と熱交換させるように構成される一方、上記冷凍装置の停止中に該圧縮機（30）を加熱する加熱手段（80）と、上記熱源側熱交換器（34）の温度を検出する熱交換器温度検出手段（73）と、上記冷凍装置の停止中であっても上記熱交換器温度検出手段（73）の検出値が低下している間は上記加熱手段（80）による上記圧縮機（30）の加熱を停止状態に保持する制御手段（91）とを備えるものである。
【００２４】
第４の発明では、冷凍装置（10）の停止中に加熱手段（80）が圧縮機（30）を加熱することによって、冷媒回路（20）内の冷媒が圧縮機（30）へ流れ込んで凝縮するのを防いでいる。また、この発明において、熱交換器温度検出手段（73）の検出値が低下している間は、冷凍装置（10）の停止中であっても、制御手段（91）が加熱手段（80）による圧縮機（30）の加熱を停止状態に保持する。
【００２５】
ここで、冷凍装置（10）が停止している状態では、圧縮機（30）や熱源側熱交換器（34）の温度は、外気温の変化に伴って変化する。また、圧縮機（30）の熱容量は、室外空気を冷媒と熱交換させる熱源側熱交換器（34）の熱容量に比べて大きいのが通常である。このため、外気温の変化に対する温度変化の時間遅れは、圧縮機（30）の方が熱源側熱交換器（34）に比べて長くなる。従って、例えば昼過ぎから夜間にかけて外気温が次第に低下してゆく過程では、熱源側熱交換器（34）の温度は外気温とほぼ同じ値になるが、圧縮機（30）の温度は外気温よりも幾分高い値となる。つまり、外気温の低下に伴って熱源側熱交換器（34）の温度が次第に低下してゆく間は、圧縮機（30）の温度が熱源側熱交換器（34）の温度よりも高くなる。
【００２６】
一方、冷凍装置（10）の停止中において、冷媒回路（20）に充填された冷媒は、冷媒回路（20）のうち温度が最も低い部分で凝縮し、その部分へ溜まり込んでゆく。このため、熱源側熱交換器（34）の温度が次第に低下してゆく間は、圧縮機（30）に比べて温度の低い熱源側熱交換器（34）へ冷媒が溜まり込んでゆくことになり、それ程多量の冷媒が圧縮機（30）に溜まり込むことはないと推測できる。
【００２７】
そこで、上記第４の発明の制御手段（91）は、熱交換器温度検出手段（73）の検出値が低下している間は圧縮機（30）に溜まり込む冷媒の量がそれ程多くならないと判断し、加熱手段（80）による圧縮機（30）の加熱を停止状態に保つ。
【００２８】
第５の発明は、圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置を対象とする。そして、上記熱源側熱交換器（34）が冷媒を室外空気と熱交換させるように構成される一方、上記冷凍装置の停止中に該圧縮機（30）を加熱する加熱手段（80）と、上記熱源側熱交換器（34）の温度を検出する熱交換器温度検出手段（73）と、上記圧縮機（30）の温度を検出する圧縮機温度検出手段（77）と、上記冷凍装置の停止中であっても上記圧縮機温度検出手段（77）の検出値が上記熱交換器温度検出手段（73）の検出値より高い間は上記加熱手段（80）による上記圧縮機（30）の加熱を停止状態に保持する制御手段（91）とを備えるものである。
【００２９】
第５の発明では、冷凍装置（10）の停止中に加熱手段（80）が圧縮機（30）を加熱することによって、冷媒回路（20）内の冷媒が圧縮機（30）へ流れ込んで凝縮するのを防いでいる。また、この発明において、圧縮機温度検出手段（77）の検出値が熱交換器温度検出手段（73）の検出値より高い間は、例え冷凍装置（10）の停止中であっても、制御手段（91）が加熱手段（80）による圧縮機（30）の加熱を停止状態に保持する。
【００３０】
ここで、冷凍装置（10）が停止している状態では、圧縮機（30）や熱源側熱交換器（34）の温度は、外気温の変化に伴って変化する。一方、冷凍装置（10）の停止中において、冷媒回路（20）に充填された冷媒は、冷媒回路（20）のうち温度が最も低い部分で凝縮し、その部分へ溜まり込んでゆく。このため、圧縮機（30）の温度に比べて熱源側熱交換器（34）の温度が低い間は、熱源側熱交換器（34）へ冷媒が溜まり込んでゆくことになり、それ程多量の冷媒が圧縮機（30）に溜まり込むことはないと推測できる。
【００３１】
そこで、上記第５の発明の制御手段（91）は、圧縮機温度検出手段（77）の検出値が熱交換器温度検出手段（73）の検出値より高くなっている間は圧縮機（30）に溜まり込む冷媒の量がそれ程多くならないと判断し、加熱手段（80）による圧縮機（30）の加熱を停止状態に保つ。
【００３２】
第６の発明は、上記第４又は第５の発明において、上記利用側熱交換器（37）が冷媒を室内空気と熱交換させるように構成され、室内の気温を検出する内気温度検出手段（75）が設けられており、上記制御手段（91）は、上記内気温度検出手段（75）の検出値が上記熱交換器温度検出手段（73）の検出値より低い間は上記加熱手段（80）による上記圧縮機（30）の加熱を停止状態に保持するように構成されるものである。
【００３３】
第６の発明では、内気温度検出手段（75）の検出値が熱交換器温度検出手段（73）の検出値より高い間は、例え冷凍装置（10）の停止中であっても、制御手段（91）が加熱手段（80）による圧縮機（30）の加熱を停止状態に保持する。
【００３４】
上述したように、冷凍装置（10）の停止中において、冷媒回路（20）に充填された冷媒は、冷媒回路（20）のうち温度が最も低い部分で凝縮し、その部分へ溜まり込んでゆく。このため、冷凍装置（10）が停止中であって室内の気温が外気温に比べて低くなっている状態において、冷媒回路（20）に充填されている冷媒は、屋外に設置された熱源側回路（21）よりも屋内に設置された利用側回路（22）の方へ溜まり込んでゆく。つまり、この状態において、圧縮機（30）が設けられた熱源側回路（21）へ溜まり込む冷媒はさほど多くならないと推測できる。また、上述したように、熱源側熱交換器（34）の温度は、外気温とほぼ同じ値であると推測できる。
【００３５】
そこで、上記第６の発明の制御手段（91）は、内気温度検出手段（75）の検出値が熱交換器温度検出手段（73）の検出値より低い間は圧縮機（30）に溜まり込む冷媒の量がそれ程多くならないと判断し、加熱手段（80）による圧縮機（30）の加熱を停止状態に保つ。
【００３６】
第７の発明は、上記第１〜第６の何れか１つの発明において、上記加熱手段（80）は、上記圧縮機（30）に取り付けられた電気ヒータ（55）であるものである。
【００３７】
第７の発明では、電気ヒータ（55）が加熱手段（80）を構成する。冷凍装置（10）の停止中において、電気ヒータ（55）へ通電すると、発生したジュール熱によって圧縮機（30）が加熱される。
【００３８】
第８の発明は、上記第１〜第６の何れか１つの発明において、上記圧縮機（30）は、冷媒を圧縮する圧縮機構（61）と該圧縮機構（61）を駆動する電動機（62）とが１つのケーシング（63）内に収容された密閉型圧縮機である一方、上記加熱手段（80）は、上記電動機（62）に対して欠相状態で通電することによって該電動機（62）を回転させずに該電動機（62）でジュール熱を発生させるように構成されるものである。
【００３９】
第８の発明において、加熱手段（80）は、圧縮機（30）の電動機（62）に対して欠相状態で通電する。例えば、圧縮機（30）の電動機（62）が三相電動機（62）の場合、加熱手段（80）は三相のうちの一相が欠落した状態で電動機（62）へ交流電力を供給する。圧縮機（30）の電動機（62）に対して欠相状態で通電すると、電動機（62）は回転せずにジュール熱だけが発生する。圧縮機（30）は、ケーシング（63）内の電動機（62）で発生したジュール熱によって加熱される。
【発明の効果】
【００４０】
本発明では、冷凍装置（10）の停止中に圧縮機（30）よりも熱源側熱交換器（34）の方へ多くの冷媒が溜まり込んでゆく状態かどうかを判断し、そのような状態であれば加熱手段（80）による圧縮機（30）の加熱を停止状態に保つようにしている。つまり、本発明では、冷凍装置（10）の停止中であっても、圧縮機（30）に溜まり込む冷媒がそれ程多くないと推測できる場合には、加熱手段（80）による圧縮機（30）の加熱を行わないようにしている。このため、本発明によれば、圧縮機（30）に溜まり込む冷媒がそれ程多くはならない状況であるにも拘わらず圧縮機（30）を加熱してしまうのを防止でき、冷凍装置（10）の停止中に圧縮機（30）を加熱するのに要するエネルギを削減できる。その結果、本発明によれば、冷凍装置（10）の停止中における冷凍装置（10）の消費エネルギを削減することができる。
【００４１】
また、上記第３及び第６の発明では、冷凍装置（10）の停止中に熱源側回路（21）よりも利用側回路（22）の方へ多くの冷媒が溜まり込んでゆく状態かどうかを判断し、そのような状態であれば加熱手段（80）による圧縮機（30）の加熱を停止状態に保つようにしている。つまり、これらの発明では、冷凍装置（10）の停止中であっても、圧縮機（30）が設けられた熱源側回路（21）に溜まり込む冷媒がそれ程多くないと推測できる場合には、加熱手段（80）による圧縮機（30）の加熱を行わないようにしている。従って、こららの発明によれば、必要がないにも拘わらず圧縮機（30）を加熱してしまう事態を一層確実に回避することができ、冷凍装置（10）の停止中における冷凍装置（10）の消費エネルギを一層低く抑えることができる。
【発明を実施するための最良の形態】
【００４２】
以下、本発明の実施形態を図面に基づいて詳細に説明する。
【００４３】
《発明の実施形態１》
本発明の実施形態１について説明する。本実施形態は、本発明に係る冷凍装置により構成された空調機（10）である。
【００４４】
図１に示すように、上記空調機（10）は、冷媒回路（20）を備えている。この冷媒回路（20）は、熱源側回路である室外回路（21）と、利用側回路である室内回路（22）と、液側連絡配管（23）と、ガス側連絡配管（24）とによって構成されている。室外回路（21）は、屋外に設置された室外機（11）に収容されている。この室外機（11）には、室外ファン（12）が設けられている。一方、室内回路（22）は、屋内に設置された室内機（13）に収容されている。この室内機（13）には、室内ファン（14）が設けられている。
【００４５】
上記室外回路（21）には、圧縮機（30）と、四方切換弁（33）と、室外熱交換器（34）と、レシーバ（35）と、電動膨張弁（36）とが設けられている。また、室外回路（21）には、ブリッジ回路（40）と、液側閉鎖弁（25）と、ガス側閉鎖弁（26）とが設けられている。
【００４６】
上記室外回路（21）において、圧縮機（30）の吐出管（32）は、四方切換弁（33）の第１のポートに接続されている。この圧縮機（30）の吐出管（32）と四方切換弁（33）を接続する配管には、高圧圧力スイッチ（71）が設けられている。圧縮機（30）の吸入管（31）は、四方切換弁（33）の第２のポートに接続されている。四方切換弁（33）の第３のポートは、室外熱交換器（34）の一端に接続されている。室外熱交換器（34）の他端は、ブリッジ回路（40）に接続されている。また、このブリッジ回路（40）には、レシーバ（35）と、電動膨張弁（36）と、液側閉鎖弁（25）とが接続されている。この点については、後述する。四方切換弁（33）の第４のポートは、ガス側閉鎖弁（26）に接続されている。
【００４７】
上記ブリッジ回路（40）は、４つの逆止弁（41〜44）を備えている。このブリッジ回路（40）では、第１逆止弁（41）の流出側と第２逆止弁（42）の流出側とが互いに接続され、第２逆止弁（42）の流入側と第３逆止弁（43）の流出側とが互いに接続され、第３逆止弁（43）の流入側と第４逆止弁（44）の流入側とが互いに接続され、第４逆止弁（44）の流出側と第１逆止弁（41）の流入側とが互いに接続されている。
【００４８】
上記室外熱交換器（34）の他端は、ブリッジ回路（40）における第１逆止弁（41）と第４逆止弁（44）の間に接続されている。ブリッジ回路（40）における第２逆止弁（42）と第３逆止弁（43）の間には、液側閉鎖弁（25）が接続されている。
【００４９】
上記レシーバ（35）は、縦長の円筒形に形成された密閉容器状の部材である。レシーバ（35）の上端部は、ブリッジ回路（40）における第１逆止弁（41）と第２逆止弁（42）の間に接続されている。レシーバ（35）の下端部は、電動膨張弁（36）を介して、ブリッジ回路（40）における第３逆止弁（43）と第４逆止弁（44）の間に接続されている。
【００５０】
上記室外回路（21）には、均圧管（50）が設けられている。この均圧管（50）は、その一端がレシーバ（35）に、その他端が室外熱交換器（34）とブリッジ回路（40）の間にそれぞれ接続されている。また、均圧管（50）には、キャピラリチューブ（51）が設けられている。
【００５１】
上記室内回路（22）には、室内熱交換器（37）が設けられている。室内回路（22）の一端は、液側連絡配管（23）を介して液側閉鎖弁（25）に接続されている。室内回路（22）の他端は、ガス側連絡配管（24）を介してガス側閉鎖弁（26）に接続されている。上記空調機（10）の設置後において、液側閉鎖弁（25）及びガス側閉鎖弁（26）は、常に開放状態とされる。
【００５２】
上記圧縮機（30）は、高圧ドーム形式の全密閉型圧縮機である。具体的に、この圧縮機（30）では、スクロール型流体機械である圧縮機構（61）と、この圧縮機構（61）を駆動する電動機（62）とが、縦長で円筒形の密閉容器状に形成されたケーシング（63）に収納されている。吸入管（31）から吸い込まれた冷媒は、圧縮機構（61）へ直接導入される。圧縮機構（61）で圧縮された冷媒は、一旦ケーシング（63）内に吐出された後に吐出管（32）から送り出される。
【００５３】
上記圧縮機（30）の電動機（62）は、交流電動機（62）の一種である三相同期電動機によって構成されている。この電動機（62）には、図外のインバータを通じて電力が供給される。このインバータの出力周波数を変更すると、電動機（62）の回転数が変化して圧縮機（30）の容量が変化する。
【００５４】
上記室外熱交換器（34）と室内熱交換器（37）は、共にクロスフィン式のフィン・アンド・チューブ型熱交換器である。室外熱交換器（34）は、熱源側熱交換器を構成しており、冷媒回路（20）の冷媒を、室外ファン（12）によって供給された室外空気と熱交換させる。一方、室内熱交換器（37）は、利用側熱交換器を構成しており、冷媒回路（20）の冷媒を、室内ファン（14）によって供給された室内空気と熱交換させる。
【００５５】
上記四方切換弁（33）は、第１のポートと第３のポートが連通し且つ第２のポートと第４のポートが連通する状態（図１に実線で示す状態）と、第１のポートと第４のポートが連通し且つ第２のポートと第３のポートが連通する状態（図１に破線で示す状態）とに切り換わように構成されている。
【００５６】
上記空調機（10）には、各種の温度センサが設けられている。各温度センサの検出値は、上記コントローラ（90）に入力されて、空調機（10）の運転制御に用いられる。
【００５７】
具体的に、室外機（11）には、室外空気の温度を検出するための外気温センサ（72）が設けられている。外気温センサ（72）は、外気温度検出手段を構成している。室外熱交換器（34）には、その伝熱管温度を検出するための室外熱交換器温度センサ（73）が設けられている。室外熱交換器温度センサ（73）は、室外熱交温度検出手段を構成している。圧縮機（30）の吐出管（32）には、圧縮機（30）の吐出冷媒温度を検出するための吐出管温度センサ（74）が設けられている。室内機（13）には、室内空気の温度を検出するための内気温センサ（75）が設けられている。内気温センサ（75）は、内気温度検出手段を構成している。室内熱交換器（37）には、その伝熱管温度を検出するための室内熱交換器温度センサ（76）が設けられている。室内熱交換器温度センサ（76）は、室内熱交温度検出手段を構成している。
【００５８】
本実施形態の空調機（10）は、コントローラ（90）を備えている。このコントローラ（90）は、各温度センサで得られた検出値に基づいて、圧縮機（30）の容量制御や電動膨張弁（36）の開度制御などを行う。
【００５９】
上記コントローラ（90）は、加熱制御部（91）を備えている。加熱制御部（91）は、空調機（10）の停止中（即ち、リモコン等からの入力によって電源がオフされた状態）に、圧縮機（30）の電動機（62）へ欠相状態で通電するように構成されている。具体的には、一相が欠けた状態の交流電力を電動機（62）へ供給する。電動機（62）へ欠相状態で通電すると、電動機（62）は回転しないが、電動機（62）のコイルを電流が流れることによってジュール熱が発生する。つまり、本実施形態の空調機（10）では、この加熱制御部（91）と圧縮機（30）の電動機（62）とが加熱手段（80）を構成している。
【００６０】
また、上記加熱制御部（91）は、制御手段を構成しており、空調機（10）の停止中に電動機（62）へ通電するか否かを外気温センサ（72）の検出値に基づいて判断する動作を行う。加熱制御部（91）におけるこの動作については、後述する。
【００６１】
−空調機の運転動作−
上記空調機（10）の運転動作について説明する。この空調機（10）は、室内熱交換器（37）で室内空気を冷却する冷房運転と、室内熱交換器（37）で室内空気を加熱する暖房運転とを切り換えて行う。
【００６２】
〈冷房運転〉
冷房動作時には、四方切換弁（33）が図１に実線で示す状態に切り換えられると共に、電動膨張弁（36）が所定開度に調節される。また、室外ファン（12）及び室内ファン（14）が運転される。この状態において、冷媒回路（20）では、冷媒を循環させることによって冷凍サイクルが行われる。
【００６３】
圧縮機（30）から吐出された冷媒は、室外熱交換器（34）で室外空気へ放熱して凝縮し、ブリッジ回路（40）の第１逆止弁（41）を通ってレシーバ（35）へ流入する。レシーバ（35）から流出した冷媒は、電動膨張弁（36）を通過する際に減圧され、その後にブリッジ回路（40）の第３逆止弁（43）を通過し、液側連絡配管（23）を通って室内熱交換器（37）へ流入する。
【００６４】
室内熱交換器（37）では、冷媒が室内空気から吸熱して蒸発する。室内機（13）へ取り込まれた室内空気は、室内熱交換器（37）で冷却されてから室内へ送り返される。室内熱交換器（37）で蒸発した冷媒は、ガス側連絡配管（24）と四方切換弁（33）とを順に通過して圧縮機（30）へ吸入される。圧縮機（30）は、吸入した冷媒を圧縮して吐出する。
【００６５】
〈暖房運転〉
暖房動作時には、四方切換弁（33）が図１に破線で示す状態に切り換えられると共に、電動膨張弁（36）が所定開度に調節される。また、室外ファン（12）及び室内ファン（14）が運転される。この状態において、冷媒回路（20）では、冷媒を循環させることによって冷凍サイクルが行われる。
【００６６】
圧縮機（30）から吐出された冷媒は、四方切換弁（33）とガス側連絡配管（24）を通って室内熱交換器（37）へ流入する。室内熱交換器（37）では、冷媒が室内空気へ放熱して凝縮する。室内機（13）へ取り込まれた室内空気は、室内熱交換器（37）で加熱されてから室内へ送り返される。
【００６７】
室内熱交換器（37）で凝縮した冷媒は、液側連絡配管（23）とブリッジ回路（40）の第２逆止弁（42）とを順に通過してレシーバ（35）へ流入する。レシーバ（35）から流出した冷媒は、電動膨張弁（36）を通過する際に減圧され、その後にブリッジ回路（40）の第４逆止弁（44）を通って室外熱交換器（34）へ流入する。室外熱交換器（34）へ流入した冷媒は、室外空気から吸熱して蒸発し、その後に圧縮機（30）へ吸入される。圧縮機（30）は、吸入した冷媒を圧縮して吐出する。
【００６８】
−加熱制御部の制御動作−
空調機（10）の停止中において、コントローラ（90）の加熱制御部（91）は、圧縮機（30）を加熱するために圧縮機（30）の電動機（62）へ欠相状態で通電する動作を行う。
【００６９】
ここで、空調機（10）の停止中おいて、冷媒回路（20）内の冷媒は、冷媒回路（20）のうち最も温度の低い箇所で凝縮して溜まり込んでゆく。このため、場合によっては、圧縮機（30）のケーシング（63）内に液冷媒が溜まり込んでいくことになる。
【００７０】
一方、圧縮機（30）は、全密閉型圧縮機である。つまり、圧縮機（30）では、ケーシング（63）内に冷凍機油が貯留されている。圧縮機（30）の運転中には、ケーシング（63）内に貯留された冷凍機油が圧縮機構（61）へ供給されて潤滑に利用される。圧縮機（30）の停止中にケーシング（63）内へ冷媒が溜まり込むと、冷媒が冷凍機油に溶け込んで冷凍機油の粘度が低下する。この状態で圧縮機（30）を起動すると、粘度の低い冷凍機油が圧縮機構（61）へ供給されることになり、焼き付き等のトラブルを招くおそれがある。また、冷凍機油に溶け込んでいた冷凍機油が急激に蒸発し、冷凍機油が泡立った状態となって圧縮機構（61）へ充分な量の冷凍機油が供給されなくなるおそれもある。
【００７１】
そこで、加熱制御部（91）は、空調機（10）の停止中に圧縮機（30）の電動機（62）へ欠相状態で通電する動作を行う。圧縮機（30）の電動機（62）へ欠相状態で通電すると、電動機（62）は回転しないが、電動機（62）のコイルを電流が流れることによってジュール熱が発生し、そのジュール熱によって圧縮機（30）が暖められる。その結果、空調機（10）の停止中に圧縮機（30）へ流入して冷凍機油に溶け込む冷媒の量が減少し、冷凍機油の粘度低下が抑えられる。
【００７２】
また、加熱制御部（91）は、空調機（10）の停止中に電動機（62）へ通電するか否かを外気温センサ（72）の検出値に基づいて判断する。この加熱制御部（91）の動作について説明する。
【００７３】
加熱制御部（91）は、空調機（10）が停止状態になると、外気温センサ（72）の検出値（即ち、外気温）を監視する。具体的に、加熱制御部（91）は、外気温センサ（72）の検出値を所定時間毎にサンプリングし、最新の検出値Ｔ０（即ち、現在の外気温）と前回の検出値Ｔ１（即ち、所定時間前の外気温）とを比較する。そして、加熱制御部（91）は、最新の検出値が前回の検出値を下回っている間（即ち、Ｔ０＜Ｔ１となっている間）は圧縮機（30）の電動機（62）に対する通電を停止させる一方、最新の検出値が前回の検出値と同じかそれよりも高い値になっている間（即ち、Ｔ０≧Ｔ１となっている間）は圧縮機（30）の電動機（62）に対する欠相状態での通電を実行する。つまり、加熱制御部（91）は、外気温センサ（72）の検出値が低下し続けている間は圧縮機（30）の電動機（62）に対する通電を停止状態に保ち、外気温センサ（72）の検出値が一定か上昇している間は圧縮機（30）の電動機（62）に対する通電を実行する。
【００７４】
春期や終期などの中間期において空調機（10）が一日中停止している場合を例に、加熱制御部（91）の動作を具体的に説明する。
【００７５】
図２に実線で示すように、外気温は概ね周期的に変化する。つまり、昼過ぎから夜中にかけては外気温が次第に低下してゆく一方、夜中から昼過ぎにかけては外気温が次第に上昇してゆく。
【００７６】
室外熱交換器（34）は、冷媒を室外空気と熱交換させる熱交換器であるため、室外空気と接触する表面の面積が大きい。また、室外熱交換器（34）は、例えばアルミニウムや銅などの熱伝導率が比較的高い金属からなる部材で構成されているのが通常であり、その熱容量が比較的小さい。このため、外気温が変化すると、室外熱交換器（34）の温度も殆ど同時に変化する。つまり、室外熱交換器（34）の温度は、外気温と概ね同じ値となる。
【００７７】
一方、圧縮機（30）の質量は室外熱交換器（34）の質量に比べて大幅に大きく、圧縮機（30）の表面積は室外熱交換器（34）の表面積に比べて大幅に小さい。また、圧縮機（30）を構成する部材は、熱伝導率が比較的低い鋼や鋳鉄からなるものが多い。従って、圧縮機（30）の熱容量は、室外熱交換器（34）の熱容量に比べて大幅に大きいのが通常である。更に、圧縮機（30）は、グラスウール等の断熱材で覆われている場合も多い。このため、圧縮機（30）の温度変化は、図２に一点鎖線で示すように、外気温の変化に遅れて追従することになる。つまり、外気温が次第に低下してゆく間において、圧縮機（30）の温度は、室外熱交換器（34）の温度（≒外気温）よりも高くなる。
【００７８】
上述したように、空調機（10）の停止中において、冷媒回路（20）内の冷媒は、冷媒回路（20）のうち最も温度の低い箇所で凝縮して溜まり込んでゆく。このため、外気温が次第に低下してゆく間は、圧縮機（30）に比べて低温の室外熱交換器（34）へ冷媒が溜まり込んでゆくことになる。つまり、外気温が次第に低下してゆく間は、圧縮機（30）を加熱しなくても、圧縮機（30）へ入り込む冷媒の量はそれ程多くならない。そこで、加熱制御部（91）は、図２の時刻ｔ１に至るまでの間は圧縮機（30）の電動機（62）に対する通電を停止状態に保つ。
【００７９】
圧縮機（30）の温度変化は外気温の変化に遅れて追従するため、外気温が次第に上昇してゆく間は、圧縮機（30）の温度が室外熱交換器（34）の温度（≒外気温）に比べて低くなる。このような状態では、冷媒回路（20）内の冷媒が室外熱交換器（34）ではなく圧縮機（30）に溜まり込むおそれがあるため、加熱制御部（91）が圧縮機（30）の電動機（62）に対する欠相状態での通電を実行する。図２の例において、加熱制御部（91）は、時刻ｔ１において圧縮機（30）の電動機（62）に対する通電を開始させ、外気温が上昇し続けている間は圧縮機（30）の電動機（62）に対する通電を継続させる。そして、時刻ｔ２になって外気温が再び低下し始めると、加熱制御手段は、圧縮機（30）の電動機（62）に対する通電を停止させる。
【００８０】
なお、圧縮機（30）の電動機（62）に対して欠相状態で通電を行っている最中に空調機（10）の電源がオンになった場合は、加熱制御部（91）が圧縮機（30）の電動機（62）に対する欠相状態で通電を直ちに停止させる。そして、コントローラ（90）が圧縮機（30）の電動機（62）に対する三相交流の供給を開始させ、電動機（62）で圧縮機構（61）を駆動して冷媒回路の冷凍サイクル動作を開始させる。
【００８１】
−実施形態１の効果−
本実施形態では、空調機（10）の停止中に圧縮機（30）よりも室外熱交換器（34）の方へ多くの冷媒が溜まり込んでゆく状態かどうかを判断し、そのような状態であれば加熱制御部（91）が圧縮機（30）の電動機（62）に対する通電を停止状態に保っている。つまり、本実施形態では、空調機（10）の停止中であっても、圧縮機（30）に溜まり込む冷媒がそれ程多くないと推測できる場合には、圧縮機（30）の電動機（62）に対する欠相状態での通電を停止させている。このため、本実施形態によれば、圧縮機（30）を加熱しなくてもそこに溜まり込む冷媒がそれ程多くはならない状況であるにも拘わらず圧縮機（30）を加熱してしまうのを防止でき、空調機（10）の停止中に圧縮機（30）を加熱するのに要する電力を削減できる。従って、本実施形態によれば、空調機（10）の停止中における消費電力（いわゆる待機電力）を削減することができる。
【００８２】
−実施形態１の変形例１−
本実施形態の加熱制御部（91）では、外気温センサ（72）の検出値の代わりに室外熱交換器温度センサ（73）の検出値を用いて圧縮機（30）の電動機（62）に対する通電を行うか否かを判断してもよい。
【００８３】
空調機（10）の停止中において、本変形例の加熱制御部（91）は、室外熱交換器温度センサ（73）の検出値を監視する。そして、加熱制御部（91）は、室外熱交換器温度センサ（73）の検出値が低下し続けている間は圧縮機（30）の電動機（62）に対する欠相状態での通電を停止させる一方、室外熱交換器温度センサ（73）の検出値が一定のままか上昇し続けている間は圧縮機（30）の電動機（62）に対する欠相状態での通電を実行させる。
【００８４】
上述したように、空調機（10）の停止中において、室外熱交換器（34）の温度は、外気温とほぼ同じ値となる。このため、室外熱交換器（34）の温度が次第に低下し続けている時には外気温が低下し続けていることになり、そのような状態では圧縮機（30）の温度が室外熱交換器（34）の温度に比べて高くなっていると推測できる。そこで、本変形例の加熱制御部（91）は、室外熱交換器（34）の温度が次第に低下し続けている間は圧縮機（30）に多量の冷媒が溜まり込むことはないと判断し、圧縮機（30）の電動機（62）に対する通電を停止状態に保持し、無駄な電力の消費を回避している。
【００８５】
−実施形態１の変形例２−
本実施形態の加熱制御部（91）では、最新の検出値が前回の検出値を下回っているか両者が同じ値になっている間（即ち、Ｔ０≦Ｔ１となっている間）は圧縮機（30）の電動機（62）に対する通電を停止させる一方、最新の検出値が前回の検出値よりも高い値になっている間（即ち、Ｔ０＞Ｔ１となっている間）は圧縮機（30）の電動機（62）に対する欠相状態での通電を実行させるようにしてもよい。つまり、本変形例の加熱制御部（91）は、外気温センサ（72）の検出値が低下しているか一定になっている間は圧縮機（30）の電動機（62）に対する通電を停止状態に保ち、外気温センサ（72）の検出値が上昇している間は圧縮機（30）の電動機（62）に対する通電を実行する。
【００８６】
《発明の実施形態２》
本発明の実施形態２について説明する。ここでは、本実施形態の空調機（10）について、上記実施形態１と異なる点を説明する。
【００８７】
図３に示すように、本実施形態の空調機（10）では、圧縮機（30）のケーシング（63）に圧縮機温度センサ（77）が取り付けられている。この圧縮機温度センサ（77）は、圧縮機（30）の温度を検出する圧縮機温度検出手段を構成している。
【００８８】
本実施形態の加熱制御部（91）は、空調機（10）の停止中に電動機（62）へ通電するか否かを外気温センサ（72）の検出値と圧縮機温度センサ（77）の検出値とに基づいて判断する動作を行う。この加熱制御部（91）の動作について説明する。
【００８９】
加熱制御部（91）は、空調機（10）が停止状態になると、外気温センサ（72）の検出値（即ち、外気温）と圧縮機温度センサ（77）の検出値（即ち、圧縮機（30）の温度）とを監視する。
具体的に、加熱制御部（91）は、外気温センサ（72）の検出値ＴＯＡと圧縮機温度センサ（77）の検出値ＴＣとを所定時間毎にサンプリングし、両者の値を比較する。そして、加熱制御部（91）は、外気温センサ（72）の検出値ＴＯＡが圧縮機温度センサ（77）の検出値ＴＣを下回っている間（即ち、ＴＯＡ＜ＴＣとなっている間）は圧縮機（30）の電動機（62）に対する通電を停止させる一方、外気温センサ（72）の検出値ＴＯＡが圧縮機温度センサ（77）の検出値ＴＣと同じかそれを上回っている間（即ち、ＴＯＡ≧ＴＣとなっている間）は圧縮機（30）の電動機（62）に対する欠相状態での通電を実行する。
【００９０】
春期や終期などの中間期において空調機（10）が一日中停止している場合を例に、加熱制御部（91）の動作を具体的に説明する。
【００９１】
図４に実線で示すように、外気温は概ね周期的に変化する。そして、室外熱交換器（34）は、その熱容量が比較的小さくて室外空気と接触する表面の面積が大きいため、その温度は外気温とほぼ同じになる。一方、空調機（10）の停止中において、室外回路（21）では、室外熱交換器（34）と圧縮機（30）のうち温度の低い方へ冷媒が溜まり込んでゆく。そこで、加熱制御部（91）は、図４の時刻ｔ１に至るまでの間は圧縮機（30）の電動機（62）に対する通電を停止状態に保つ。
【００９２】
時刻ｔ１において圧縮機（30）の温度が室外熱交換器（34）の温度と同じになると、加熱制御部（91）は、圧縮機（30）の電動機（62）に対する欠相状態での通電を開始させる。その後に外気温が次第に上昇してゆく間は圧縮機（30）の温度が室外熱交換器（34）の温度よりも低い状態が続くため、加熱制御部（91）が圧縮機（30）の電動機（62）に対する通電を継続させる。そして、時刻ｔ２において圧縮機（30）の温度が室外熱交換器（34）の温度を上回ると、加熱制御部（91）が圧縮機（30）の電動機（62）に対する通電を停止させる。
【００９３】
このように、本実施形態の加熱制御部（91）は、室外回路（21）において圧縮機（30）へ溜まり込む冷媒の量が多くなると推測されるときにだけ、圧縮機（30）の電動機（62）に対する欠相状態での通電を実行させている。従って、本実施形態によれば、上記実施形態１の場合と同様に、圧縮機（30）の無駄な加熱を回避することができ、空調機（10）の停止中に消費される電力（即ち、待機電力）を低減できる。
【００９４】
−実施形態２の変形例１−
本実施形態の加熱制御部（91）では、外気温センサ（72）の検出値の代わりに室外熱交換器温度センサ（73）の検出値を用いて圧縮機（30）の電動機（62）に対する通電を行うか否かを判断してもよい。
【００９５】
空調機（10）の停止中において、本変形例の加熱制御部（91）は、室外熱交換器温度センサ（73）の検出値と圧縮機温度センサ（77）の検出値とを監視する。そして、加熱制御部（91）は、圧縮機温度センサ（77）の検出値が室外熱交換器温度センサ（73）の検出値を上回っている間は圧縮機（30）の電動機（62）に対する欠相状態での通電を停止させる一方、圧縮機温度センサ（77）の検出値が室外熱交換器温度センサ（73）の検出値と同じかそれを下回っている間は圧縮機（30）の電動機（62）に対する欠相状態での通電を実行させる。
【００９６】
上述したように、空調機（10）の停止中において、室外回路（21）では、室外熱交換器（34）と圧縮機（30）のうち温度の低い方へ冷媒が溜まり込んでゆく。そこで、本変形例の加熱制御部（91）は、圧縮機温度センサ（77）の検出値が室外熱交換器温度センサ（73）の検出値を上回っている間は圧縮機（30）に多量の冷媒が溜まり込むことはないと判断し、圧縮機（30）の電動機（62）に対する通電を停止状態に保持し、無駄な電力の消費を回避している。
【００９７】
《その他の実施形態》
上記の各実施形態では、次のような構成としてもよい。
【００９８】
−第１変形例−
上記の各実施形態では、圧縮機（30）の電動機（62）へ欠相状態で通電することによって圧縮機（30）を加熱しているが、これに代えて、圧縮機（30）に電気ヒータ（55）を取り付け、この電気ヒータ（55）へ通電することによって圧縮機（30）を加熱してもよい。本変形例では、この電気ヒータ（55）とコントローラ（90）の加熱制御部（91）とが加熱手段（80）を構成している。
【００９９】
図５に示すように、電気ヒータ（55）は、圧縮機（30）のケーシング（63）の下部に巻き付けられている。電気ヒータ（55）に通電すると、ジュール熱が発生して圧縮機（30）が暖められる。本変形例において、コントローラ（90）の加熱制御部（91）は、空調機（10）の停止中に電気ヒータ（55）へ電力を供給する動作を行う。
【０１００】
上述したように、上記各実施形態の加熱制御部（91）は、空調機（10）の停止中に圧縮機（30）の加熱が必要かどうかの判断を、外気温センサ（72）の検出値の変化傾向や、外気温センサ（72）の検出値と圧縮機温度センサ（77）の検出値との関係に基づいて行っている。本変形例の加熱制御部（91）は、上記各実施形態と同様の判断を行い、空調機（10）の停止中に圧縮機（30）の加熱が必要であると判断された場合に電気ヒータ（55）へ通電する。
【０１０１】
−第２変形例−
上記実施形態１，２や上記第１変形例において、コントローラ（90）の加熱制御部（91）は、空調機（10）の停止中に圧縮機（30）の加熱が必要かどうかを判断する際に、更に内気温センサ（75）の検出値を考慮するようにしてもよい。
【０１０２】
具体的に、本変形例の加熱制御部（91）は、空調機（10）の停止中に内気温センサ（75）の検出値と外気温センサ（72）の検出値とを比較し、外気温センサ（72）の検出値が内気温センサ（75）の検出値以上の場合にも圧縮機（30）の加熱を停止状態に保持する。
【０１０３】
例えば、上記実施形態１に本変形例を適用した場合、加熱制御部（91）は、内気温センサ（75）の検出値が外気温センサ（72）の検出値を下回るという第１条件と、外気温センサ（72）の検出値が低下し続けているという第２条件との何れか一方が空調機（10）の停止中に成立している場合は、圧縮機（30）の電動機（62）に対する欠相状態での通電を停止状態に保つ。
【０１０４】
また、上記実施形態２に本変形例を適用した場合、加熱制御部（91）は、内気温センサ（75）の検出値が外気温センサ（72）の検出値を下回るという第１条件と、外気温センサ（72）の検出値が圧縮機温度センサ（77）の検出値を下回るという第２条件との何れか一方が空調機（10）の停止中に成立している場合は、圧縮機（30）の電動機（62）に対する欠相状態での通電を停止状態に保つ。
【０１０５】
上述したように、空調機（10）の停止中において、冷媒回路（20）内の冷媒は、冷媒回路（20）のうち最も温度の低い箇所で凝縮して溜まり込んでゆく。そして、内気温センサ（75）の検出値（即ち、室内の気温）が外気温センサ（72）の検出値（即ち、室外の気温）を下回る状態では、室内回路（22）が室外回路（21）に比べて低温となるため、室内回路（22）へ冷媒が流入して溜まり込んでゆくことになる。つまり、この状態では、圧縮機（30）が設置されている室外回路（21）にそれ程多くの冷媒は溜まり込まないと推定できる。そこで、本変形例では、空調機（10）の停止中に内気温センサ（75）の検出値が外気温センサ（72）の検出値を下回る場合にも圧縮機（30）を停止し、圧縮機（30）を無駄に加熱することがないようにしている。
【０１０６】
なお、以上の実施形態は、本質的に好ましい例示であって、本発明、その適用物、あるいはその用途の範囲を制限することを意図するものではない。
【産業上の利用可能性】
【０１０７】
以上説明したように、本発明は、停止中に圧縮機を加熱する手段を備えた冷凍装置について有用である。
【図面の簡単な説明】
【０１０８】
【図１】実施形態１における空調機の構成を示す冷媒回路図である。
【図２】実施形態１における加熱制御部が行う制御動作を説明するための時刻と温度の関係図である。
【図３】実施形態２における空調機の構成を示す冷媒回路図である。
【図４】実施形態２における加熱制御部が行う制御動作を説明するための時刻と温度の関係図である。
【図５】その他の実施形態の第１変形例における空調機の構成を示す冷媒回路図である。
【符号の説明】
【０１０９】
10    空調機（冷凍装置）
20    冷媒回路
21    室外回路（熱源側回路）
22    室内回路（利用側回路）
30    圧縮機
34    室外熱交換器（熱源側熱交換器）
37    室内熱交換器（利用側熱交換器）
55    電気ヒータ
61    圧縮機構
62    電動機
63    ケーシング
72    外気温センサ（外気温度検出手段）
73    室外熱交換器温度センサ（熱交換器温度検出手段）
75    内気温センサ（内気温度検出手段）
77    圧縮機温度センサ（圧縮機温度検出手段）
80    加熱手段
91    加熱制御部（制御手段）
【図１】
2008064447.tif 000003
【図２】
2008064447.tif 000004
【図３】
2008064447.tif 000005
【図４】
2008064447.tif 000006
【図５】
2008064447.tif 000007
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置であって、
上記熱源側熱交換器（34）が冷媒を室外空気と熱交換させるように構成される一方、
上記冷凍装置の停止中に該圧縮機（30）を加熱する加熱手段（80）と、
室外の気温を検出する外気温度検出手段（72）と、
上記冷凍装置の停止中であっても上記外気温度検出手段（72）の検出値が低下している間は上記加熱手段（80）による上記圧縮機（30）の加熱を停止状態に保持する制御手段（91）とを備えている
ことを特徴とする冷凍装置。
【請求項２】
請求項１において、
上記利用側熱交換器（37）が冷媒を室内空気と熱交換させるように構成され、
室内の気温を検出する内気温度検出手段（75）が設けられており、
上記制御手段（91）は、上記内気温度検出手段（75）の検出値が上記外気温度検出手段（72）の検出値より低い間は上記加熱手段（80）による上記圧縮機（30）の加熱を停止状態に保持するように構成されている
ことを特徴とする冷凍装置。
【請求項３】
圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置であって、
上記熱源側熱交換器（34）が冷媒を室外空気と熱交換させるように構成される一方、
上記冷凍装置の停止中に該圧縮機（30）を加熱する加熱手段（80）と、
上記熱源側熱交換器（34）の温度を検出する熱交換器温度検出手段（73）と、
上記冷凍装置の停止中であっても上記熱交換器温度検出手段（73）の検出値が低下している間は上記加熱手段（80）による上記圧縮機（30）の加熱を停止状態に保持する制御手段（91）とを備えている
ことを特徴とする冷凍装置。
【請求項４】
請求項３において、
上記利用側熱交換器（37）が冷媒を室内空気と熱交換させるように構成され、
室内の気温を検出する内気温度検出手段（75）が設けられており、
上記制御手段（91）は、上記内気温度検出手段（75）の検出値が上記熱交換器温度検出手段（73）の検出値より低い間は上記加熱手段（80）による上記圧縮機（30）の加熱を停止状態に保持するように構成されている
ことを特徴とする冷凍装置。
【手続補正２】
【補正対象書類名】明細書
【補正対象項目名】全文
【補正方法】変更
【補正の内容】
【発明の詳細な説明】
【技術分野】
【０００１】
本発明は、冷凍装置の停止中に圧縮機を加熱する手段の制御に関するものである。
【背景技術】
【０００２】
冷凍装置では、その停止中に圧縮機へ冷媒が溜まり込む場合がある。例えば、圧縮機が屋外に設置される室外ユニットに収容される場合、外気温の低い冬季には圧縮機の温度も低くなるため、冷媒回路内の冷媒が圧縮機内で凝縮して溜まり込むことがある。圧縮機内に冷媒が溜まり込むと、圧縮機内に貯留された潤滑油に冷媒が溶け込んで潤滑油の粘度が低下する。そして、この状態のままで圧縮機を起動すると、粘度の低い潤滑油が圧縮機の摺動部へ供給されることになり、潤滑不良による焼き付きに至る危険がある。また、圧縮機の起動後に潤滑油に溶け込んでいた冷媒が一気にガス化し、潤滑油が泡立った状態となって充分な給油ができなくなるおそれもある。
【０００３】
その問題に対しては、冷凍装置の停止中に圧縮機を加熱することで圧縮機への冷媒の溜まり込みを防ぐという対策が講じられている。例えば、特許文献１には、圧縮機に電気ヒータを取り付け、電気ヒータへ通電して圧縮機を加熱することが開示されている。また、特許文献２には、圧縮機に設置された電動機のコイルへ高周波数の低電圧を印加し、電動機を回転させずにコイルでジュール熱を発生させて圧縮機を加熱することが開示されている。
【０００４】
このように冷凍装置の停止中に圧縮機を加熱する場合は、冷凍装置の停止中でも電力等のエネルギが消費されることになる。その問題の対策として、特許文献１には、室外の気温と室内の気温に基づいて電気ヒータへ通電するか否かを判断し、圧縮機の加熱が不要と判断されたときには、電気ヒータへの通電を停止することが開示されている。具体的に、この特許文献１では、室内と室外の気温差が所定値以上で且つ外気温も所定値以上の場合は、圧縮機に溜まり込む冷媒の量はそれ程多くないと判断して電気ヒータへの通電を停止している。
【特許文献１】特開２００２−１０６９８１号公報
【特許文献２】特開２００２−０３１３８６号公報
【発明の開示】
【発明が解決しようとする課題】
【０００５】
ここで、冷凍装置の冷媒回路は、圧縮機や熱源側熱交換器が設けられた屋外側のユニットと、利用側熱交換器が設けられた屋内側のユニットとを連絡配管で接続することによって形成される場合が多い。そして、外気温が室内の気温よりも低い場合は、屋外側のユニットに冷媒が溜まり込むことになる。
【０００６】
ところが、屋外側のユニットに冷媒が溜まり込む状態であっても、必ずしも圧縮機に冷媒が溜まり込むとは限らない。つまり、屋外側のユニットには圧縮機の他に熱源側熱交換器も設けられているため、圧縮機ではなく熱源側熱交換器に冷媒が溜まり込む場合もあり、そのような場合に圧縮機を加熱する必要は無い。
【０００７】
しかしながら、特許文献１に開示されているように室内外の気温を考慮しても、屋内側と屋外側のどちらのユニットに冷媒が溜まり込むかは判断できても、圧縮機に冷媒が溜まり込み得る状態かどうかは判断できない。このため、圧縮機に溜まり込む冷媒の量がさほど多くない状態でも圧縮機の加熱を行ってしまい、無駄なエネルギを消費するおそれがあった。
【０００８】
本発明は、かかる点に鑑みてなされたものであり、その目的は、圧縮機に多量の冷媒が溜まり込み得る状態か否かを適切に判断し、冷凍装置の停止中における消費エネルギを削減することにある。
【課題を解決するための手段】
【０００９】
第１の発明は、圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置を対象とする。そして、上記熱源側熱交換器（34）が冷媒を室外空気と熱交換させるように構成される一方、上記冷凍装置の停止中に該圧縮機（30）を加熱する加熱手段（80）と、室外の気温を検出する外気温度検出手段（72）と、上記冷凍装置の停止中であっても上記外気温度検出手段（72）の検出値が低下している間は上記加熱手段（80）による上記圧縮機（30）の加熱を停止状態に保持する制御手段（91）とを備えるものである。
【００１０】
第１の発明では、冷凍装置（10）の停止中に加熱手段（80）が圧縮機（30）を加熱することによって、冷媒回路（20）内の冷媒が圧縮機（30）へ流れ込んで凝縮するのを防いでいる。また、この発明において、外気温度検出手段（72）の検出値が低下している間は、冷凍装置（10）の停止中であっても、制御手段（91）が加熱手段（80）による圧縮機（30）の加熱を停止状態に保持する。
【００１１】
ここで、冷凍装置（10）が停止している状態では、圧縮機（30）や熱源側熱交換器（34）の温度は、外気温の変化に伴って変化する。また、圧縮機（30）の熱容量は、室外空気を冷媒と熱交換させる熱源側熱交換器（34）の熱容量に比べて大きいのが通常である。このため、外気温の変化に対する温度変化の時間遅れは、圧縮機（30）の方が熱源側熱交換器（34）に比べて長くなる。従って、例えば昼過ぎから夜間にかけて外気温が次第に低下してゆく過程では、熱源側熱交換器（34）の温度は外気温とほぼ同じ値になるが、圧縮機（30）の温度は外気温よりも幾分高い値となる。つまり、外気温が次第に低下してゆく間は、圧縮機（30）の温度が熱源側熱交換器（34）の温度よりも高くなる。
【００１２】
一方、冷凍装置（10）の停止中において、冷媒回路（20）に充填された冷媒は、冷媒回路（20）のうち温度が最も低い部分で凝縮し、その部分へ溜まり込んでゆく。このため、外気温が次第に低下してゆく間は、圧縮機（30）に比べて温度の低い熱源側熱交換器（34）へ冷媒が溜まり込んでゆくことになり、それ程多量の冷媒が圧縮機（30）に溜まり込むことはないと推測できる。
【００１３】
そこで、上記第１の発明の制御手段（91）は、外気温度検出手段（72）の検出値が低下している間は圧縮機（30）に溜まり込む冷媒の量がそれ程多くならないと判断し、加熱手段（80）による圧縮機（30）の加熱を停止状態に保つ。
【００１４】
第２の発明は、上記第１の発明において、上記利用側熱交換器（37）が冷媒を室内空気と熱交換させるように構成され、室内の気温を検出する内気温度検出手段（75）が設けられており、上記制御手段（91）は、上記内気温度検出手段（75）の検出値が上記外気温度検出手段（72）の検出値より低い間は上記加熱手段（80）による上記圧縮機（30）の加熱を停止状態に保持するように構成されるものである。
【００１５】
第２の発明において、内気温度検出手段（75）の検出値が外気温度検出手段（72）の検出値より高い間は、冷凍装置（10）の停止中であっても、制御手段（91）が加熱手段（80）による圧縮機（30）の加熱を停止状態に保持する。
【００１６】
上述したように、冷凍装置（10）の停止中において、冷媒回路（20）に充填された冷媒は、冷媒回路（20）のうち温度が最も低い部分で凝縮し、その部分へ溜まり込んでゆく。このため、冷凍装置（10）が停止中であって室内の気温が外気温に比べて低くなっている状態において、冷媒回路（20）に充填されている冷媒は、屋外に設置された熱源側回路（21）よりも屋内に設置された利用側回路（22）の方へ溜まり込んでゆく。つまり、この状態において、圧縮機（30）が設けられた熱源側回路（21）へ溜まり込む冷媒はさほど多くならないと推測できる。
【００１７】
そこで、上記第２の発明の制御手段（91）は、内気温度検出手段（75）の検出値が外気温度検出手段（72）の検出値より低い間は圧縮機（30）に溜まり込む冷媒の量がそれ程多くならないと判断し、加熱手段（80）による圧縮機（30）の加熱を停止状態に保つ。
【００１８】
第３の発明は、圧縮機（30）と熱源側熱交換器（34）とを有して屋外に設置される熱源側回路（21）と、利用側熱交換器（37）を有して屋内に設置される利用側回路（22）とが互いに接続された冷媒回路（20）を備え、該冷媒回路（20）で冷媒を循環させて冷凍サイクルを行う冷凍装置を対象とする。そして、上記熱源側熱交換器（34）が冷媒を室外空気と熱交換させるように構成される一方、上記冷凍装置の停止中に該圧縮機（30）を加熱する加熱手段（80）と、上記熱源側熱交換器（34）の温度を検出する熱交換器温度検出手段（73）と、上記冷凍装置の停止中であっても上記熱交換器温度検出手段（73）の検出値が低下している間は上記加熱手段（80）による上記圧縮機（30）の加熱を停止状態に保持する制御手段（91）とを備えるものである。
【００１９】
第３の発明では、冷凍装置（10）の停止中に加熱手段（80）が圧縮機（30）を加熱することによって、冷媒回路（20）内の冷媒が圧縮機（30）へ流れ込んで凝縮するのを防いでいる。また、この発明において、熱交換器温度検出手段（73）の検出値が低下している間は、冷凍装置（10）の停止中であっても、制御手段（91）が加熱手段（80）による圧縮機（30）の加熱を停止状態に保持する。
【００２０】
ここで、冷凍装置（10）が停止している状態では、圧縮機（30）や熱源側熱交換器（34）の温度は、外気温の変化に伴って変化する。また、圧縮機（30）の熱容量は、室外空気を冷媒と熱交換させる熱源側熱交換器（34）の熱容量に比べて大きいのが通常である。このため、外気温の変化に対する温度変化の時間遅れは、圧縮機（30）の方が熱源側熱交換器（34）に比べて長くなる。従って、例えば昼過ぎから夜間にかけて外気温が次第に低下してゆく過程では、熱源側熱交換器（34）の温度は外気温とほぼ同じ値になるが、圧縮機（30）の温度は外気温よりも幾分高い値となる。つまり、外気温の低下に伴って熱源側熱交換器（34）の温度が次第に低下してゆく間は、圧縮機（30）の温度が熱源側熱交換器（34）の温度よりも高くなる。
【００２１】
一方、冷凍装置（10）の停止中において、冷媒回路（20）に充填された冷媒は、冷媒回路（20）のうち温度が最も低い部分で凝縮し、その部分へ溜まり込んでゆく。このため、熱源側熱交換器（34）の温度が次第に低下してゆく間は、圧縮機（30）に比べて温度の低い熱源側熱交換器（34）へ冷媒が溜まり込んでゆくことになり、それ程多量の冷媒が圧縮機（30）に溜まり込むことはないと推測できる。
【００２２】
そこで、上記第３の発明の制御手段（91）は、熱交換器温度検出手段（73）の検出値が低下している間は圧縮機（30）に溜まり込む冷媒の量がそれ程多くならないと判断し、加熱手段（80）による圧縮機（30）の加熱を停止状態に保つ。
【００２３】
第４の発明は、上記第３の発明において、上記利用側熱交換器（37）が冷媒を室内空気と熱交換させるように構成され、室内の気温を検出する内気温度検出手段（75）が設けられており、上記制御手段（91）は、上記内気温度検出手段（75）の検出値が上記熱交換器温度検出手段（73）の検出値より低い間は上記加熱手段（80）による上記圧縮機（30）の加熱を停止状態に保持するように構成されるものである。
【００２４】
第４の発明では、内気温度検出手段（75）の検出値が熱交換器温度検出手段（73）の検出値より高い間は、例え冷凍装置（10）の停止中であっても、制御手段（91）が加熱手段（80）による圧縮機（30）の加熱を停止状態に保持する。
【００２５】
上述したように、冷凍装置（10）の停止中において、冷媒回路（20）に充填された冷媒は、冷媒回路（20）のうち温度が最も低い部分で凝縮し、その部分へ溜まり込んでゆく。このため、冷凍装置（10）が停止中であって室内の気温が外気温に比べて低くなっている状態において、冷媒回路（20）に充填されている冷媒は、屋外に設置された熱源側回路（21）よりも屋内に設置された利用側回路（22）の方へ溜まり込んでゆく。つまり、この状態において、圧縮機（30）が設けられた熱源側回路（21）へ溜まり込む冷媒はさほど多くならないと推測できる。また、上述したように、熱源側熱交換器（34）の温度は、外気温とほぼ同じ値であると推測できる。
【００２６】
そこで、上記第４の発明の制御手段（91）は、内気温度検出手段（75）の検出値が熱交換器温度検出手段（73）の検出値より低い間は圧縮機（30）に溜まり込む冷媒の量がそれ程多くならないと判断し、加熱手段（80）による圧縮機（30）の加熱を停止状態に保つ。
【００２７】
第５の発明は、上記第１〜第４の何れか１つの発明において、上記加熱手段（80）は、上記圧縮機（30）に取り付けられた電気ヒータ（55）であるものである。
【００２８】
第５の発明では、電気ヒータ（55）が加熱手段（80）を構成する。冷凍装置（10）の停止中において、電気ヒータ（55）へ通電すると、発生したジュール熱によって圧縮機（30）が加熱される。
【００２９】
第６の発明は、上記第１〜第４の何れか１つの発明において、上記圧縮機（30）は、冷媒を圧縮する圧縮機構（61）と該圧縮機構（61）を駆動する電動機（62）とが１つのケーシング（63）内に収容された密閉型圧縮機である一方、上記加熱手段（80）は、上記電動機（62）に対して欠相状態で通電することによって該電動機（62）を回転させずに該電動機（62）でジュール熱を発生させるように構成されるものである。
【００３０】
第６の発明において、加熱手段（80）は、圧縮機（30）の電動機（62）に対して欠相状態で通電する。例えば、圧縮機（30）の電動機（62）が三相電動機（62）の場合、加熱手段（80）は三相のうちの一相が欠落した状態で電動機（62）へ交流電力を供給する。圧縮機（30）の電動機（62）に対して欠相状態で通電すると、電動機（62）は回転せずにジュール熱だけが発生する。圧縮機（30）は、ケーシング（63）内の電動機（62）で発生したジュール熱によって加熱される。
【発明の効果】
【００３１】
本発明では、冷凍装置（10）の停止中に圧縮機（30）よりも熱源側熱交換器（34）の方へ多くの冷媒が溜まり込んでゆく状態かどうかを判断し、そのような状態であれば加熱手段（80）による圧縮機（30）の加熱を停止状態に保つようにしている。つまり、本発明では、冷凍装置（10）の停止中であっても、圧縮機（30）に溜まり込む冷媒がそれ程多くないと推測できる場合には、加熱手段（80）による圧縮機（30）の加熱を行わないようにしている。このため、本発明によれば、圧縮機（30）に溜まり込む冷媒がそれ程多くはならない状況であるにも拘わらず圧縮機（30）を加熱してしまうのを防止でき、冷凍装置（10）の停止中に圧縮機（30）を加熱するのに要するエネルギを削減できる。その結果、本発明によれば、冷凍装置（10）の停止中における冷凍装置（10）の消費エネルギを削減することができる。
【００３２】
また、上記第２及び第４の発明では、冷凍装置（10）の停止中に熱源側回路（21）よりも利用側回路（22）の方へ多くの冷媒が溜まり込んでゆく状態かどうかを判断し、そのような状態であれば加熱手段（80）による圧縮機（30）の加熱を停止状態に保つようにしている。つまり、これらの発明では、冷凍装置（10）の停止中であっても、圧縮機（30）が設けられた熱源側回路（21）に溜まり込む冷媒がそれ程多くないと推測できる場合には、加熱手段（80）による圧縮機（30）の加熱を行わないようにしている。従って、こららの発明によれば、必要がないにも拘わらず圧縮機（30）を加熱してしまう事態を一層確実に回避することができ、冷凍装置（10）の停止中における冷凍装置（10）の消費エネルギを一層低く抑えることができる。
【発明を実施するための最良の形態】
【００３３】
《発明の実施形態》
本発明の実施形態について説明する。本実施形態は、本発明に係る冷凍装置により構成された空調機（10）である。
【００３４】
図１に示すように、上記空調機（10）は、冷媒回路（20）を備えている。この冷媒回路（20）は、熱源側回路である室外回路（21）と、利用側回路である室内回路（22）と、液側連絡配管（23）と、ガス側連絡配管（24）とによって構成されている。室外回路（21）は、屋外に設置された室外機（11）に収容されている。この室外機（11）には、室外ファン（12）が設けられている。一方、室内回路（22）は、屋内に設置された室内機（13）に収容されている。この室内機（13）には、室内ファン（14）が設けられている。
【００３５】
上記室外回路（21）には、圧縮機（30）と、四方切換弁（33）と、室外熱交換器（34）と、レシーバ（35）と、電動膨張弁（36）とが設けられている。また、室外回路（21）には、ブリッジ回路（40）と、液側閉鎖弁（25）と、ガス側閉鎖弁（26）とが設けられている。
【００３６】
上記室外回路（21）において、圧縮機（30）の吐出管（32）は、四方切換弁（33）の第１のポートに接続されている。この圧縮機（30）の吐出管（32）と四方切換弁（33）を接続する配管には、高圧圧力スイッチ（71）が設けられている。圧縮機（30）の吸入管（31）は、四方切換弁（33）の第２のポートに接続されている。四方切換弁（33）の第３のポートは、室外熱交換器（34）の一端に接続されている。室外熱交換器（34）の他端は、ブリッジ回路（40）に接続されている。また、このブリッジ回路（40）には、レシーバ（35）と、電動膨張弁（36）と、液側閉鎖弁（25）とが接続されている。この点については、後述する。四方切換弁（33）の第４のポートは、ガス側閉鎖弁（26）に接続されている。
【００３７】
上記ブリッジ回路（40）は、４つの逆止弁（41〜44）を備えている。このブリッジ回路（40）では、第１逆止弁（41）の流出側と第２逆止弁（42）の流出側とが互いに接続され、第２逆止弁（42）の流入側と第３逆止弁（43）の流出側とが互いに接続され、第３逆止弁（43）の流入側と第４逆止弁（44）の流入側とが互いに接続され、第４逆止弁（44）の流出側と第１逆止弁（41）の流入側とが互いに接続されている。
【００３８】
上記室外熱交換器（34）の他端は、ブリッジ回路（40）における第１逆止弁（41）と第４逆止弁（44）の間に接続されている。ブリッジ回路（40）における第２逆止弁（42）と第３逆止弁（43）の間には、液側閉鎖弁（25）が接続されている。
【００３９】
上記レシーバ（35）は、縦長の円筒形に形成された密閉容器状の部材である。レシーバ（35）の上端部は、ブリッジ回路（40）における第１逆止弁（41）と第２逆止弁（42）の間に接続されている。レシーバ（35）の下端部は、電動膨張弁（36）を介して、ブリッジ回路（40）における第３逆止弁（43）と第４逆止弁（44）の間に接続されている。
【００４０】
上記室外回路（21）には、均圧管（50）が設けられている。この均圧管（50）は、その一端がレシーバ（35）に、その他端が室外熱交換器（34）とブリッジ回路（40）の間にそれぞれ接続されている。また、均圧管（50）には、キャピラリチューブ（51）が設けられている。
【００４１】
上記室内回路（22）には、室内熱交換器（37）が設けられている。室内回路（22）の一端は、液側連絡配管（23）を介して液側閉鎖弁（25）に接続されている。室内回路（22）の他端は、ガス側連絡配管（24）を介してガス側閉鎖弁（26）に接続されている。上記空調機（10）の設置後において、液側閉鎖弁（25）及びガス側閉鎖弁（26）は、常に開放状態とされる。
【００４２】
上記圧縮機（30）は、高圧ドーム形式の全密閉型圧縮機である。具体的に、この圧縮機（30）では、スクロール型流体機械である圧縮機構（61）と、この圧縮機構（61）を駆動する電動機（62）とが、縦長で円筒形の密閉容器状に形成されたケーシング（63）に収納されている。吸入管（31）から吸い込まれた冷媒は、圧縮機構（61）へ直接導入される。圧縮機構（61）で圧縮された冷媒は、一旦ケーシング（63）内に吐出された後に吐出管（32）から送り出される。
【００４３】
上記圧縮機（30）の電動機（62）は、交流電動機（62）の一種である三相同期電動機によって構成されている。この電動機（62）には、図外のインバータを通じて電力が供給される。このインバータの出力周波数を変更すると、電動機（62）の回転数が変化して圧縮機（30）の容量が変化する。
【００４４】
上記室外熱交換器（34）と室内熱交換器（37）は、共にクロスフィン式のフィン・アンド・チューブ型熱交換器である。室外熱交換器（34）は、熱源側熱交換器を構成しており、冷媒回路（20）の冷媒を、室外ファン（12）によって供給された室外空気と熱交換させる。一方、室内熱交換器（37）は、利用側熱交換器を構成しており、冷媒回路（20）の冷媒を、室内ファン（14）によって供給された室内空気と熱交換させる。
【００４５】
上記四方切換弁（33）は、第１のポートと第３のポートが連通し且つ第２のポートと第４のポートが連通する状態（図１に実線で示す状態）と、第１のポートと第４のポートが連通し且つ第２のポートと第３のポートが連通する状態（図１に破線で示す状態）とに切り換わように構成されている。
【００４６】
上記空調機（10）には、各種の温度センサが設けられている。各温度センサの検出値は、上記コントローラ（90）に入力されて、空調機（10）の運転制御に用いられる。
【００４７】
具体的に、室外機（11）には、室外空気の温度を検出するための外気温センサ（72）が設けられている。外気温センサ（72）は、外気温度検出手段を構成している。室外熱交換器（34）には、その伝熱管温度を検出するための室外熱交換器温度センサ（73）が設けられている。室外熱交換器温度センサ（73）は、室外熱交温度検出手段を構成している。圧縮機（30）の吐出管（32）には、圧縮機（30）の吐出冷媒温度を検出するための吐出管温度センサ（74）が設けられている。室内機（13）には、室内空気の温度を検出するための内気温センサ（75）が設けられている。内気温センサ（75）は、内気温度検出手段を構成している。室内熱交換器（37）には、その伝熱管温度を検出するための室内熱交換器温度センサ（76）が設けられている。室内熱交換器温度センサ（76）は、室内熱交温度検出手段を構成している。
【００４８】
本実施形態の空調機（10）は、コントローラ（90）を備えている。このコントローラ（90）は、各温度センサで得られた検出値に基づいて、圧縮機（30）の容量制御や電動膨張弁（36）の開度制御などを行う。
【００４９】
上記コントローラ（90）は、加熱制御部（91）を備えている。加熱制御部（91）は、空調機（10）の停止中（即ち、リモコン等からの入力によって電源がオフされた状態）に、圧縮機（30）の電動機（62）へ欠相状態で通電するように構成されている。具体的には、一相が欠けた状態の交流電力を電動機（62）へ供給する。電動機（62）へ欠相状態で通電すると、電動機（62）は回転しないが、電動機（62）のコイルを電流が流れることによってジュール熱が発生する。つまり、本実施形態の空調機（10）では、この加熱制御部（91）と圧縮機（30）の電動機（62）とが加熱手段（80）を構成している。
【００５０】
また、上記加熱制御部（91）は、制御手段を構成しており、空調機（10）の停止中に電動機（62）へ通電するか否かを外気温センサ（72）の検出値に基づいて判断する動作を行う。加熱制御部（91）におけるこの動作については、後述する。
【００５１】
−空調機の運転動作−
上記空調機（10）の運転動作について説明する。この空調機（10）は、室内熱交換器（37）で室内空気を冷却する冷房運転と、室内熱交換器（37）で室内空気を加熱する暖房運転とを切り換えて行う。
【００５２】
〈冷房運転〉
冷房動作時には、四方切換弁（33）が図１に実線で示す状態に切り換えられると共に、電動膨張弁（36）が所定開度に調節される。また、室外ファン（12）及び室内ファン（14）が運転される。この状態において、冷媒回路（20）では、冷媒を循環させることによって冷凍サイクルが行われる。
【００５３】
圧縮機（30）から吐出された冷媒は、室外熱交換器（34）で室外空気へ放熱して凝縮し、ブリッジ回路（40）の第１逆止弁（41）を通ってレシーバ（35）へ流入する。レシーバ（35）から流出した冷媒は、電動膨張弁（36）を通過する際に減圧され、その後にブリッジ回路（40）の第３逆止弁（43）を通過し、液側連絡配管（23）を通って室内熱交換器（37）へ流入する。
【００５４】
室内熱交換器（37）では、冷媒が室内空気から吸熱して蒸発する。室内機（13）へ取り込まれた室内空気は、室内熱交換器（37）で冷却されてから室内へ送り返される。室内熱交換器（37）で蒸発した冷媒は、ガス側連絡配管（24）と四方切換弁（33）とを順に通過して圧縮機（30）へ吸入される。圧縮機（30）は、吸入した冷媒を圧縮して吐出する。
【００５５】
〈暖房運転〉
暖房動作時には、四方切換弁（33）が図１に破線で示す状態に切り換えられると共に、電動膨張弁（36）が所定開度に調節される。また、室外ファン（12）及び室内ファン（14）が運転される。この状態において、冷媒回路（20）では、冷媒を循環させることによって冷凍サイクルが行われる。
【００５６】
圧縮機（30）から吐出された冷媒は、四方切換弁（33）とガス側連絡配管（24）を通って室内熱交換器（37）へ流入する。室内熱交換器（37）では、冷媒が室内空気へ放熱して凝縮する。室内機（13）へ取り込まれた室内空気は、室内熱交換器（37）で加熱されてから室内へ送り返される。
【００５７】
室内熱交換器（37）で凝縮した冷媒は、液側連絡配管（23）とブリッジ回路（40）の第２逆止弁（42）とを順に通過してレシーバ（35）へ流入する。レシーバ（35）から流出した冷媒は、電動膨張弁（36）を通過する際に減圧され、その後にブリッジ回路（40）の第４逆止弁（44）を通って室外熱交換器（34）へ流入する。室外熱交換器（34）へ流入した冷媒は、室外空気から吸熱して蒸発し、その後に圧縮機（30）へ吸入される。圧縮機（30）は、吸入した冷媒を圧縮して吐出する。
【００５８】
−加熱制御部の制御動作−
空調機（10）の停止中において、コントローラ（90）の加熱制御部（91）は、圧縮機（30）を加熱するために圧縮機（30）の電動機（62）へ欠相状態で通電する動作を行う。
【００５９】
ここで、空調機（10）の停止中おいて、冷媒回路（20）内の冷媒は、冷媒回路（20）のうち最も温度の低い箇所で凝縮して溜まり込んでゆく。このため、場合によっては、圧縮機（30）のケーシング（63）内に液冷媒が溜まり込んでいくことになる。
【００６０】
一方、圧縮機（30）は、全密閉型圧縮機である。つまり、圧縮機（30）では、ケーシング（63）内に冷凍機油が貯留されている。圧縮機（30）の運転中には、ケーシング（63）内に貯留された冷凍機油が圧縮機構（61）へ供給されて潤滑に利用される。圧縮機（30）の停止中にケーシング（63）内へ冷媒が溜まり込むと、冷媒が冷凍機油に溶け込んで冷凍機油の粘度が低下する。この状態で圧縮機（30）を起動すると、粘度の低い冷凍機油が圧縮機構（61）へ供給されることになり、焼き付き等のトラブルを招くおそれがある。また、冷凍機油に溶け込んでいた冷凍機油が急激に蒸発し、冷凍機油が泡立った状態となって圧縮機構（61）へ充分な量の冷凍機油が供給されなくなるおそれもある。
【００６１】
そこで、加熱制御部（91）は、空調機（10）の停止中に圧縮機（30）の電動機（62）へ欠相状態で通電する動作を行う。圧縮機（30）の電動機（62）へ欠相状態で通電すると、電動機（62）は回転しないが、電動機（62）のコイルを電流が流れることによってジュール熱が発生し、そのジュール熱によって圧縮機（30）が暖められる。その結果、空調機（10）の停止中に圧縮機（30）へ流入して冷凍機油に溶け込む冷媒の量が減少し、冷凍機油の粘度低下が抑えられる。
【００６２】
また、加熱制御部（91）は、空調機（10）の停止中に電動機（62）へ通電するか否かを外気温センサ（72）の検出値に基づいて判断する。この加熱制御部（91）の動作について説明する。
【００６３】
加熱制御部（91）は、空調機（10）が停止状態になると、外気温センサ（72）の検出値（即ち、外気温）を監視する。具体的に、加熱制御部（91）は、外気温センサ（72）の検出値を所定時間毎にサンプリングし、最新の検出値Ｔ０（即ち、現在の外気温）と前回の検出値Ｔ１（即ち、所定時間前の外気温）とを比較する。そして、加熱制御部（91）は、最新の検出値が前回の検出値を下回っている間（即ち、Ｔ０＜Ｔ１となっている間）は圧縮機（30）の電動機（62）に対する通電を停止させる一方、最新の検出値が前回の検出値と同じかそれよりも高い値になっている間（即ち、Ｔ０≧Ｔ１となっている間）は圧縮機（30）の電動機（62）に対する欠相状態での通電を実行する。つまり、加熱制御部（91）は、外気温センサ（72）の検出値が低下し続けている間は圧縮機（30）の電動機（62）に対する通電を停止状態に保ち、外気温センサ（72）の検出値が一定か上昇している間は圧縮機（30）の電動機（62）に対する通電を実行する。
【００６４】
春期や終期などの中間期において空調機（10）が一日中停止している場合を例に、加熱制御部（91）の動作を具体的に説明する。
【００６５】
図２に実線で示すように、外気温は概ね周期的に変化する。つまり、昼過ぎから夜中にかけては外気温が次第に低下してゆく一方、夜中から昼過ぎにかけては外気温が次第に上昇してゆく。
【００６６】
室外熱交換器（34）は、冷媒を室外空気と熱交換させる熱交換器であるため、室外空気と接触する表面の面積が大きい。また、室外熱交換器（34）は、例えばアルミニウムや銅などの熱伝導率が比較的高い金属からなる部材で構成されているのが通常であり、その熱容量が比較的小さい。このため、外気温が変化すると、室外熱交換器（34）の温度も殆ど同時に変化する。つまり、室外熱交換器（34）の温度は、外気温と概ね同じ値となる。
【００６７】
一方、圧縮機（30）の質量は室外熱交換器（34）の質量に比べて大幅に大きく、圧縮機（30）の表面積は室外熱交換器（34）の表面積に比べて大幅に小さい。また、圧縮機（30）を構成する部材は、熱伝導率が比較的低い鋼や鋳鉄からなるものが多い。従って、圧縮機（30）の熱容量は、室外熱交換器（34）の熱容量に比べて大幅に大きいのが通常である。更に、圧縮機（30）は、グラスウール等の断熱材で覆われている場合も多い。このため、圧縮機（30）の温度変化は、図２に一点鎖線で示すように、外気温の変化に遅れて追従することになる。つまり、外気温が次第に低下してゆく間において、圧縮機（30）の温度は、室外熱交換器（34）の温度（≒外気温）よりも高くなる。
【００６８】
上述したように、空調機（10）の停止中において、冷媒回路（20）内の冷媒は、冷媒回路（20）のうち最も温度の低い箇所で凝縮して溜まり込んでゆく。このため、外気温が次第に低下してゆく間は、圧縮機（30）に比べて低温の室外熱交換器（34）へ冷媒が溜まり込んでゆくことになる。つまり、外気温が次第に低下してゆく間は、圧縮機（30）を加熱しなくても、圧縮機（30）へ入り込む冷媒の量はそれ程多くならない。そこで、加熱制御部（91）は、図２の時刻ｔ１に至るまでの間は圧縮機（30）の電動機（62）に対する通電を停止状態に保つ。
【００６９】
圧縮機（30）の温度変化は外気温の変化に遅れて追従するため、外気温が次第に上昇してゆく間は、圧縮機（30）の温度が室外熱交換器（34）の温度（≒外気温）に比べて低くなる。このような状態では、冷媒回路（20）内の冷媒が室外熱交換器（34）ではなく圧縮機（30）に溜まり込むおそれがあるため、加熱制御部（91）が圧縮機（30）の電動機（62）に対する欠相状態での通電を実行する。図２の例において、加熱制御部（91）は、時刻ｔ１において圧縮機（30）の電動機（62）に対する通電を開始させ、外気温が上昇し続けている間は圧縮機（30）の電動機（62）に対する通電を継続させる。そして、時刻ｔ２になって外気温が再び低下し始めると、加熱制御手段は、圧縮機（30）の電動機（62）に対する通電を停止させる。
【００７０】
なお、圧縮機（30）の電動機（62）に対して欠相状態で通電を行っている最中に空調機（10）の電源がオンになった場合は、加熱制御部（91）が圧縮機（30）の電動機（62）に対する欠相状態で通電を直ちに停止させる。そして、コントローラ（90）が圧縮機（30）の電動機（62）に対する三相交流の供給を開始させ、電動機（62）で圧縮機構（61）を駆動して冷媒回路の冷凍サイクル動作を開始させる。
【００７１】
−実施形態の効果−
本実施形態では、空調機（10）の停止中に圧縮機（30）よりも室外熱交換器（34）の方へ多くの冷媒が溜まり込んでゆく状態かどうかを判断し、そのような状態であれば加熱制御部（91）が圧縮機（30）の電動機（62）に対する通電を停止状態に保っている。つまり、本実施形態では、空調機（10）の停止中であっても、圧縮機（30）に溜まり込む冷媒がそれ程多くないと推測できる場合には、圧縮機（30）の電動機（62）に対する欠相状態での通電を停止させている。このため、本実施形態によれば、圧縮機（30）を加熱しなくてもそこに溜まり込む冷媒がそれ程多くはならない状況であるにも拘わらず圧縮機（30）を加熱してしまうのを防止でき、空調機（10）の停止中に圧縮機（30）を加熱するのに要する電力を削減できる。従って、本実施形態によれば、空調機（10）の停止中における消費電力（いわゆる待機電力）を削減することができる。
【００７２】
−実施形態の変形例１−
本実施形態の加熱制御部（91）では、外気温センサ（72）の検出値の代わりに室外熱交換器温度センサ（73）の検出値を用いて圧縮機（30）の電動機（62）に対する通電を行うか否かを判断してもよい。
【００７３】
空調機（10）の停止中において、本変形例の加熱制御部（91）は、室外熱交換器温度センサ（73）の検出値を監視する。そして、加熱制御部（91）は、室外熱交換器温度センサ（73）の検出値が低下し続けている間は圧縮機（30）の電動機（62）に対する欠相状態での通電を停止させる一方、室外熱交換器温度センサ（73）の検出値が一定のままか上昇し続けている間は圧縮機（30）の電動機（62）に対する欠相状態での通電を実行させる。
【００７４】
上述したように、空調機（10）の停止中において、室外熱交換器（34）の温度は、外気温とほぼ同じ値となる。このため、室外熱交換器（34）の温度が次第に低下し続けている時には外気温が低下し続けていることになり、そのような状態では圧縮機（30）の温度が室外熱交換器（34）の温度に比べて高くなっていると推測できる。そこで、本変形例の加熱制御部（91）は、室外熱交換器（34）の温度が次第に低下し続けている間は圧縮機（30）に多量の冷媒が溜まり込むことはないと判断し、圧縮機（30）の電動機（62）に対する通電を停止状態に保持し、無駄な電力の消費を回避している。
【００７５】
−実施形態の変形例２−
本実施形態の加熱制御部（91）では、最新の検出値が前回の検出値を下回っているか両者が同じ値になっている間（即ち、Ｔ０≦Ｔ１となっている間）は圧縮機（30）の電動機（62）に対する通電を停止させる一方、最新の検出値が前回の検出値よりも高い値になっている間（即ち、Ｔ０＞Ｔ１となっている間）は圧縮機（30）の電動機（62）に対する欠相状態での通電を実行させるようにしてもよい。つまり、本変形例の加熱制御部（91）は、外気温センサ（72）の検出値が低下しているか一定になっている間は圧縮機（30）の電動機（62）に対する通電を停止状態に保ち、外気温センサ（72）の検出値が上昇している間は圧縮機（30）の電動機（62）に対する通電を実行する。
【００７６】
《参考技術》
参考技術について説明する。ここでは、本参考技術の空調機（10）について、本発明の実施形態と異なる点を説明する。
【００７７】
図３に示すように、本参考技術の空調機（10）では、圧縮機（30）のケーシング（63）に圧縮機温度センサ（77）が取り付けられている。この圧縮機温度センサ（77）は、圧縮機（30）の温度を検出する圧縮機温度検出手段を構成している。
【００７８】
本参考技術の加熱制御部（91）は、空調機（10）の停止中に電動機（62）へ通電するか否かを外気温センサ（72）の検出値と圧縮機温度センサ（77）の検出値とに基づいて判断する動作を行う。この加熱制御部（91）の動作について説明する。
【００７９】
加熱制御部（91）は、空調機（10）が停止状態になると、外気温センサ（72）の検出値（即ち、外気温）と圧縮機温度センサ（77）の検出値（即ち、圧縮機（30）の温度）とを監視する。
具体的に、加熱制御部（91）は、外気温センサ（72）の検出値ＴＯＡと圧縮機温度センサ（77）の検出値ＴＣとを所定時間毎にサンプリングし、両者の値を比較する。そして、加熱制御部（91）は、外気温センサ（72）の検出値ＴＯＡが圧縮機温度センサ（77）の検出値ＴＣを下回っている間（即ち、ＴＯＡ＜ＴＣとなっている間）は圧縮機（30）の電動機（62）に対する通電を停止させる一方、外気温センサ（72）の検出値ＴＯＡが圧縮機温度センサ（77）の検出値ＴＣと同じかそれを上回っている間（即ち、ＴＯＡ≧ＴＣとなっている間）は圧縮機（30）の電動機（62）に対する欠相状態での通電を実行する。
【００８０】
春期や終期などの中間期において空調機（10）が一日中停止している場合を例に、加熱制御部（91）の動作を具体的に説明する。
【００８１】
図４に実線で示すように、外気温は概ね周期的に変化する。そして、室外熱交換器（34）は、その熱容量が比較的小さくて室外空気と接触する表面の面積が大きいため、その温度は外気温とほぼ同じになる。一方、空調機（10）の停止中において、室外回路（21）では、室外熱交換器（34）と圧縮機（30）のうち温度の低い方へ冷媒が溜まり込んでゆく。そこで、加熱制御部（91）は、図４の時刻ｔ１に至るまでの間は圧縮機（30）の電動機（62）に対する通電を停止状態に保つ。
【００８２】
時刻ｔ１において圧縮機（30）の温度が室外熱交換器（34）の温度と同じになると、加熱制御部（91）は、圧縮機（30）の電動機（62）に対する欠相状態での通電を開始させる。その後に外気温が次第に上昇してゆく間は圧縮機（30）の温度が室外熱交換器（34）の温度よりも低い状態が続くため、加熱制御部（91）が圧縮機（30）の電動機（62）に対する通電を継続させる。そして、時刻ｔ２において圧縮機（30）の温度が室外熱交換器（34）の温度を上回ると、加熱制御部（91）が圧縮機（30）の電動機（62）に対する通電を停止させる。
【００８３】
このように、本参考技術の加熱制御部（91）は、室外回路（21）において圧縮機（30）へ溜まり込む冷媒の量が多くなると推測されるときにだけ、圧縮機（30）の電動機（62）に対する欠相状態での通電を実行させている。従って、本参考技術によれば、本発明の実施形態の場合と同様に、圧縮機（30）の無駄な加熱を回避することができ、空調機（10）の停止中に消費される電力（即ち、待機電力）を低減できる。
【００８４】
−参考技術の変形例１−
本参考技術の加熱制御部（91）では、外気温センサ（72）の検出値の代わりに室外熱交換器温度センサ（73）の検出値を用いて圧縮機（30）の電動機（62）に対する通電を行うか否かを判断してもよい。
【００８５】
空調機（10）の停止中において、本変形例の加熱制御部（91）は、室外熱交換器温度センサ（73）の検出値と圧縮機温度センサ（77）の検出値とを監視する。そして、加熱制御部（91）は、圧縮機温度センサ（77）の検出値が室外熱交換器温度センサ（73）の検出値を上回っている間は圧縮機（30）の電動機（62）に対する欠相状態での通電を停止させる一方、圧縮機温度センサ（77）の検出値が室外熱交換器温度センサ（73）の検出値と同じかそれを下回っている間は圧縮機（30）の電動機（62）に対する欠相状態での通電を実行させる。
【００８６】
上述したように、空調機（10）の停止中において、室外回路（21）では、室外熱交換器（34）と圧縮機（30）のうち温度の低い方へ冷媒が溜まり込んでゆく。そこで、本変形例の加熱制御部（91）は、圧縮機温度センサ（77）の検出値が室外熱交換器温度センサ（73）の検出値を上回っている間は圧縮機（30）に多量の冷媒が溜まり込むことはないと判断し、圧縮機（30）の電動機（62）に対する通電を停止状態に保持し、無駄な電力の消費を回避している。
【００８７】
《その他の実施形態》
上記の実施形態及び参考技術では、次のような構成としてもよい。
【００８８】
−第１変形例−
上記の実施形態及び参考技術では、圧縮機（30）の電動機（62）へ欠相状態で通電することによって圧縮機（30）を加熱しているが、これに代えて、圧縮機（30）に電気ヒータ（55）を取り付け、この電気ヒータ（55）へ通電することによって圧縮機（30）を加熱してもよい。本変形例では、この電気ヒータ（55）とコントローラ（90）の加熱制御部（91）とが加熱手段（80）を構成している。
【００８９】
図５に示すように、電気ヒータ（55）は、圧縮機（30）のケーシング（63）の下部に巻き付けられている。電気ヒータ（55）に通電すると、ジュール熱が発生して圧縮機（30）が暖められる。本変形例において、コントローラ（90）の加熱制御部（91）は、空調機（10）の停止中に電気ヒータ（55）へ電力を供給する動作を行う。
【００９０】
上述したように、上記実施形態及び参考技術の加熱制御部（91）は、空調機（10）の停止中に圧縮機（30）の加熱が必要かどうかの判断を、外気温センサ（72）の検出値の変化傾向や、外気温センサ（72）の検出値と圧縮機温度センサ（77）の検出値との関係に基づいて行っている。本変形例の加熱制御部（91）は、上記実施形態及び参考技術と同様の判断を行い、空調機（10）の停止中に圧縮機（30）の加熱が必要であると判断された場合に電気ヒータ（55）へ通電する。
【００９１】
−第２変形例−
上記の実施形態、参考技術、及び第１変形例において、コントローラ（90）の加熱制御部（91）は、空調機（10）の停止中に圧縮機（30）の加熱が必要かどうかを判断する際に、更に内気温センサ（75）の検出値を考慮するようにしてもよい。
【００９２】
具体的に、本変形例の加熱制御部（91）は、空調機（10）の停止中に内気温センサ（75）の検出値と外気温センサ（72）の検出値とを比較し、外気温センサ（72）の検出値が内気温センサ（75）の検出値以上の場合にも圧縮機（30）の加熱を停止状態に保持する。
【００９３】
例えば、上記の実施形態に本変形例を適用した場合、加熱制御部（91）は、内気温センサ（75）の検出値が外気温センサ（72）の検出値を下回るという第１条件と、外気温センサ（72）の検出値が低下し続けているという第２条件との何れか一方が空調機（10）の停止中に成立している場合は、圧縮機（30）の電動機（62）に対する欠相状態での通電を停止状態に保つ。
【００９４】
また、上記参考技術に本変形例を適用した場合、加熱制御部（91）は、内気温センサ（75）の検出値が外気温センサ（72）の検出値を下回るという第１条件と、外気温センサ（72）の検出値が圧縮機温度センサ（77）の検出値を下回るという第２条件との何れか一方が空調機（10）の停止中に成立している場合は、圧縮機（30）の電動機（62）に対する欠相状態での通電を停止状態に保つ。
【００９５】
上述したように、空調機（10）の停止中において、冷媒回路（20）内の冷媒は、冷媒回路（20）のうち最も温度の低い箇所で凝縮して溜まり込んでゆく。そして、内気温センサ（75）の検出値（即ち、室内の気温）が外気温センサ（72）の検出値（即ち、室外の気温）を下回る状態では、室内回路（22）が室外回路（21）に比べて低温となるため、室内回路（22）へ冷媒が流入して溜まり込んでゆくことになる。つまり、この状態では、圧縮機（30）が設置されている室外回路（21）にそれ程多くの冷媒は溜まり込まないと推定できる。そこで、本変形例では、空調機（10）の停止中に内気温センサ（75）の検出値が外気温センサ（72）の検出値を下回る場合にも圧縮機（30）を停止し、圧縮機（30）を無駄に加熱することがないようにしている。
【００９６】
なお、以上の実施形態は、本質的に好ましい例示であって、本発明、その適用物、あるいはその用途の範囲を制限することを意図するものではない。
【産業上の利用可能性】
【００９７】
以上説明したように、本発明は、停止中に圧縮機を加熱する手段を備えた冷凍装置について有用である。
【図面の簡単な説明】
【００９８】
【図１】実施形態における空調機の構成を示す冷媒回路図である。
【図２】実施形態における加熱制御部が行う制御動作を説明するための時刻と温度の関係図である。
【図３】参考技術における空調機の構成を示す冷媒回路図である。
【図４】参考技術における加熱制御部が行う制御動作を説明するための時刻と温度の関係図である。
【図５】その他の実施形態の第１変形例における空調機の構成を示す冷媒回路図である。
【符号の説明】
【００９９】
10    空調機（冷凍装置）
20    冷媒回路
21    室外回路（熱源側回路）
22    室内回路（利用側回路）
30    圧縮機
34    室外熱交換器（熱源側熱交換器）
37    室内熱交換器（利用側熱交換器）
55    電気ヒータ
61    圧縮機構
62    電動機
63    ケーシング
72    外気温センサ（外気温度検出手段）
73    室外熱交換器温度センサ（熱交換器温度検出手段）
75    内気温センサ（内気温度検出手段）
77    圧縮機温度センサ（圧縮機温度検出手段）
80    加熱手段
91    加熱制御部（制御手段）